(57)【要約】【課題】用紙の種類にかかわらず、ユーザが意図する表面効果を得ること。【解決手段】画像データを生成する印刷制御装置であって、記録媒体に関する記録媒体情報ごとに、同一の表面効果であって、異なるタイプの表面効果が登録された複数の表面効果選択テーブルを記憶する記憶部と、記録媒体情報を取得する取得部と、取得された記録媒体情報が記憶部に記憶されていない場合に、該記録媒体情報に対応する表面効果選択テーブルを生成し記憶部に記憶するテーブル生成部と、取得された記録媒体情報に対応する表面効果選択テーブルを記憶部から決定する決定部と、決定された表面効果選択テーブルと、記録媒体に付与する表面効果の種類と表面効果を付与する記録媒体における領域とを特定した光沢制御版データとに基づいて、画像データを生成する画像データ生成部と、画像データを出力する出力部と、を備えた。【選択図】図２４
2013239152.tif 000002
【特許請求の範囲】
【請求項１】
画像データを生成する印刷制御装置であって、
記録媒体に関する記録媒体情報ごとに、同一の表面効果であって、異なるタイプの表面効果が登録された複数の表面効果選択テーブルを記憶する記憶部と、
記録媒体情報を取得する取得部と、
取得された前記記録媒体情報が前記記憶部に記憶されていない場合に、該記録媒体情報に対応する表面効果選択テーブルを生成し前記記憶部に記憶するテーブル生成部と、
取得された前記記録媒体情報に対応する表面効果選択テーブルを前記記憶部から決定する決定部と、
決定された表面効果選択テーブルと、記録媒体に付与する表面効果の種類と前記表面効果を付与する前記記録媒体における領域とを特定した光沢制御版データとに基づいて、前記画像データを生成する画像データ生成部と、
前記画像データを出力する出力部と、
を備えた印刷制御装置。
【請求項２】
記録媒体に形成された、表面効果の種類の異なる複数のパッチ画像の各々に対する評価情報のユーザからの設定入力を受け付ける入力制御部を更に備え、
前記画像データ生成部は、取得された前記記録媒体情報が前記記憶部に記憶されていない場合に、前記複数のパッチ画像が指定されたテスト用光沢制御版データと、予め定めた表面効果選択テーブルと、に基づいて、前記複数のパッチ画像を示すテストチャートデータを前記画像データとして生成し、
前記テーブル生成部は、取得された前記記録媒体情報が前記記憶部に記憶されていない場合に、前記表面効果選択テーブルと、受け付けた前記評価情報と、を対応づけて前記記憶部に記憶することによって、該記録媒体情報に対応する表面効果選択テーブルを生成し前記記憶部に記憶し、
前記画像データ生成部は、決定された表面効果選択テーブルと、該表面効果選択テーブルに対応する前記評価情報と、前記光沢制御版データと、に基づいて、前記画像データを生成する、
請求項１に記載の印刷制御装置。
【請求項３】
取得された前記記録媒体情報が前記記憶部に記憶されているか否かを判別する判別部を更に備え、
前記テーブル生成部は、取得された前記記録媒体情報が前記記憶部に記憶されていないと判別された場合に、該記録媒体情報に対応する表面効果選択テーブルを生成し前記記憶部に記憶する、請求項１または２に記載の印刷制御装置。
【請求項４】
前記入力制御部は、前記記録媒体情報のユーザからの設定入力を更に受け付け、
前記決定部は、設定入力された記録媒体情報に対応する表面効果選択テーブルを前記記憶部から決定する、
ことを特徴とする請求項２または３に記載の印刷制御装置。
【請求項５】
前記記録媒体情報を、ネットワークに接続された印刷装置から取得する取得部をさらに備え、
前記決定部は、取得した記録媒体情報に対応する表面効果選択テーブルを前記記憶部から決定する、
ことを特徴とする請求項１〜３のいずれか１項に記載の印刷制御装置。
【請求項６】
前記記録媒体情報は、記録媒体の種類、記録媒体の光沢度、記録媒体の凹凸情報の少なくとも一つを含むことを特徴とする請求項１〜５のいずれか１項に記載の印刷制御装置。
【請求項７】
決定された表面効果選択テーブルと前記光沢制御版データとに基づいて、無色のクリアトナーを付着させるためのクリアトナー版データを生成するクリアトナー版生成部をさらに備え、
前記画像データ生成部は、有色トナーを付着させるための有色版データと、前記クリアトナー版データに基づいて、前記画像データを生成する、
ことを特徴とする請求項１〜６のいずれか１項に記載の印刷制御装置。
【請求項８】
前記表面効果選択テーブルは、前記表面効果が鏡面光沢の場合、前記記録媒体情報に応じて、クリアトナーまたは有色トナーの付着量を増加させるように表面効果が登録されていることを特徴とする請求項１〜７のいずれか１項に記載の印刷制御装置。
【請求項９】
前記光沢制御版データは、前記表面効果の種類と前記表面効果を付与する前記記録媒体における領域とを特定するための光沢制御値が指定されていることを特徴とする請求項１〜８のいずれか１項に記載の印刷制御装置。
【請求項１０】
前記入力制御部は、ユーザを識別する識別情報のユーザからの入力を更に受け付け、
前記記憶部は、前記記録媒体情報及び前記識別情報ごとに、前記表面効果選択テーブルを記憶する、
請求項２〜９のいずれか１項に記載の印刷制御装置。
【請求項１１】
前記記憶部は、前記表面効果の種類と、該種類の表面効果を実現するために適した記録媒体に関する前記記録媒体情報と、を対応づけて更に記憶し、
前記入力制御部は、表面効果の種類のユーザからの入力を更に受け付け、受け付けた表面効果の種類に対応する前記記録媒体情報を表示部に表示する制御を行う、請求項１〜１０のいずれか１項に記載の印刷制御装置。
【請求項１２】
画像データを生成する印刷制御システムであって、
記録媒体に関する記録媒体情報ごとに、同一の表面効果であって、異なるタイプの表面効果が登録された複数の表面効果選択テーブルを記憶する記憶部と、
記録媒体情報を取得する取得部と、
取得された前記記録媒体情報が前記記憶部に記憶されていない場合に、該記録媒体情報に対応する表面効果選択テーブルを生成し前記記憶部に記憶するテーブル生成部と、
取得された前記記録媒体情報に対応する表面効果選択テーブルを前記記憶部から決定する決定部と、
決定された表面効果選択テーブルと、記録媒体に付与する表面効果の種類と前記表面効果を付与する前記記録媒体における領域とを特定した光沢制御版データとに基づいて、前記画像データを生成する画像データ生成部と、
前記画像データを出力する出力部と、
を備えた印刷制御システム。
【請求項１３】
画像データを生成する印刷制御方法であって、
記録媒体に関する記録媒体情報を取得する取得ステップと、
記録媒体に関する記録媒体情報ごとに同一の表面効果であって異なるタイプの表面効果が登録された複数の表面効果選択テーブルを記憶する記憶部に、取得された前記記録媒体情報が記憶されていない場合に、該記録媒体情報に対応する表面効果選択テーブルを生成し前記記憶部に記憶するテーブル生成ステップと、
取得された前記記録媒体情報に対応する表面効果選択テーブルを前記記憶部から決定する決定ステップと、
決定された表面効果選択テーブルと、記録媒体に付与する表面効果の種類と前記表面効果を付与する前記記録媒体における領域とを特定した光沢制御版データとに基づいて、前記画像データを生成する画像データ生成ステップと、
前記画像データを出力する出力ステップと、
を含む印刷制御方法。
【請求項１４】
画像データを生成するコンピュータに実行させるためのプログラムであって、
記録媒体に関する記録媒体情報を取得する取得ステップと、
記録媒体に関する記録媒体情報ごとに同一の表面効果であって異なるタイプの表面効果が登録された複数の表面効果選択テーブルを記憶する記憶部に、取得された前記記録媒体情報が記憶されていない場合に、該記録媒体情報に対応する表面効果選択テーブルを生成し前記記憶部に記憶するテーブル生成ステップと、
取得された前記記録媒体情報に対応する表面効果選択テーブルを前記記憶部から決定する決定ステップと、
決定された表面効果選択テーブルと、記録媒体に付与する表面効果の種類と前記表面効果を付与する前記記録媒体における領域とを特定した光沢制御版データとに基づいて、前記画像データを生成する画像データ生成ステップと、
を前記コンピュータに実行させるためのプログラム。
【発明の詳細な説明】
【技術分野】
【０００１】
本発明は、印刷制御装置、印刷制御システム、印刷制御方法およびプログラムに関する。
【背景技術】
【０００２】
従来、Ｃ（シアン）、Ｍ（マゼンタ）、Ｙ（イエロー）、Ｋ（ブラック）の４色のトナーの他に、色材が入っていない無色のトナーであるクリアトナーを搭載した画像形成装置が存在する。このようなクリアトナーにより形成されたトナー像は、ＣＭＹＫのトナーにより画像が形成された転写紙等の記録媒体上に定着され、この結果記録媒体の面において視覚的な効果や触覚的な効果（以下、「表面効果」という）が実現される。
【０００３】
クリアトナーによりどのようなトナー像を形成してどのような定着をさせるかによって、実現される表面効果が異なる。単純に光沢を与える表面効果もあれば、光沢を抑制する表面効果もある。また、全面に表面効果を与えるだけでなく、一部だけに表面効果を与えたり、クリアトナーによりテクスチャやウォータマークをつけたりする表面効果も求められている。また、表面保護を求める場合もある。
【０００４】
また、定着制御のほか、グロッサや低温定着機などの専用の後処理機によって後処理を行うことで実現できる表面効果もある。近年では、例えば特許文献１に開示されているように、表面の一部の中でも望ましい部分にのみクリアトナーを付着させて光沢を与える技術が開発されている。
【０００５】
また、特許文献２には、表面の光沢度、平滑度、厚みなどの異なる用紙に対し、画像形成を行った場合に適切な光沢度の画像を出力する目的で、用紙の光沢度を測定し、光沢度に応じた定着温度の加熱条件を変更することで、適切な光沢度を得る画像を出力する画像形成装置が開示されている。
【発明の概要】
【発明が解決しようとする課題】
【０００６】
しかしながら、このような従来の光沢制御技術では、表面効果を与える対象となる用紙の凹凸が大きい場合に、鏡面光沢のような、用紙の平滑度に影響を大きく受ける表面効果を与える際に、表面効果が変化し、ユーザが意図した表面効果が得られないという問題があった。
【０００７】
本発明は、上記に鑑みてなされたものであって、用紙の種類にかかわらず、ユーザが意図する表面効果を得ることができる印刷制御装置、印刷制御システム、印刷制御方法およびプログラムを提供することを目的とする。
【課題を解決するための手段】
【０００８】
上述した課題を解決し、目的を達成するために、本発明にかかる印刷制御装置は、画像データを生成する印刷制御装置であって、記録媒体に関する記録媒体情報ごとに、同一の表面効果であって、異なるタイプの表面効果が登録された複数の表面効果選択テーブルを記憶する記憶部と、記録媒体情報を取得する取得部と、取得された前記記録媒体情報が前記記憶部に記憶されていない場合に、該記録媒体情報に対応する表面効果選択テーブルを生成し前記記憶部に記憶するテーブル生成部と、取得された前記記録媒体情報に対応する表面効果選択テーブルを前記記憶部から決定する決定部と、決定された表面効果選択テーブルと、記録媒体に付与する表面効果の種類と前記表面効果を付与する前記記録媒体における領域とを特定した光沢制御版データとに基づいて、前記画像データを生成する画像データ生成部と、前記画像データを出力する出力部と、を備えた。
【発明の効果】
【０００９】
本発明によれば、用紙の種類にかかわらず、ユーザが意図する表面効果を得ることができるという効果を奏する。
【図面の簡単な説明】
【００１０】
【図１】図１は、実施の形態１に係る画像形成システムの構成を例示する図である。
【図２】図２は、有色版の画像データの一例を示す図である。
【図３】図３は、光沢の有無に関する表面効果の種類を例示する図である。
【図４】図４は、この光沢制御版の画像データをイメージとして示した図である。
【図５】図５は、クリア版の画像データの一例を示す図である。
【図６】図６は、濃度値選択テーブルの一例を示す図である。
【図７】図７は、図４の光沢制御版の画像データにおいて、描画オブジェクト、座標、濃度値との対応関係を示す図である。
【図８】図８は、印刷データの構成例を概念的に示す模式図である。
【図９】図９は、ＤＦＥの機能的構成を例示する図である。
【図１０】図１０は、実施の形態１のクリアプロセッシングの機能的構成を例示する図である。
【図１１】図１１は、コート紙用の表面効果選択テーブルのデータ構成を例示する図である。
【図１２】図１２は、普通紙用の表面効果選択テーブルのデータ構成を例示する図である。
【図１３】図１３は、マット紙用の表面効果選択テーブルのデータ構成を例示する図である。
【図１４】図１４は、用紙種類、用紙の光沢度、用紙の凹凸情報の関連性を示す図である。
【図１５】図１５は、用紙種類設定画面の一例を示す図である。
【図１６】図１６は、光沢度設定画面の一例を示す図である。
【図１７】図１７は、平滑度設定画面の一例を示す図である。
【図１８】図１８は、用紙情報の登録画面の一例を示す図である。
【図１９】図１９は、ＭＩＣおよび印刷装置の構成を概念的に例示する図である。
【図２０】図２０は、プリンタ機の機能的構成を示すブロック図である。
【図２１】図２１は、実施の形態１の画像形成システムが行う光沢制御処理の手順を示すフローチャートである。
【図２２】図２２は、実施の形態１の表面効果選択テーブル選択処理の手順を示すフローチャートである。
【図２３】図２３は、実施の形態１の用紙情報取得処理の手順を示すフローチャートである。
【図２４】図２４は、実施の形態２のクリアプロセッシングの機能的構成を例示する図である。
【図２５】図２５は、比較条件入力画面の一例を示す図である。
【図２６】図２６は、表面効果選択テーブル検索画面の一例を示す図である。
【図２７】図２７は、検索結果の画面の一例を示す図である。
【図２８】図２８は、用紙表示画面の一例を示す図である。
【図２９】図２９は、用紙表示画面の一例を示す図である。
【図３０】図３０は、用紙表示画面の一例を示す図である。
【図３１】図３１は、評価情報入力画面の一例を示す図である。
【図３２】図３２は、記録媒体に形成されたテストチャート画像の一例を示す模式図である。
【図３３】図３３は、実施の形態２の画像形成システムが行う光沢制御処理の手順を示すフローチャートである。
【図３４】図３４は、実施の形態２の表面効果選択テーブル選択処理の手順を示すフローチャートである。
【図３５】図３５は、表面効果選択テーブル生成処理の手順を示すフローチャートである。
【図３６】図３６は、実施の形態３に係る画像形成システムの構成を例示する図である。
【図３７】図３７は、実施の形態３にかかるサーバ装置の機能的構成を示すブロック図である。
【図３８】図３８は、実施の形態３のＤＦＥの機能的構成を示すブロック図である。
【図３９】図３９は、実施の形態３にかかるクリアトナー版の生成処理の全体の流れを示すシーケンス図である。
【図４０】図４０は、クラウド上に２つのサーバを設けたネットワーク構成図である。
【図４１】図４１は、ホスト装置、ＤＦＥ、サーバ装置のハードウェア構成図である。
【発明を実施するための形態】
【００１１】
以下に添付図面を参照して、印刷制御装置、印刷制御システム、印刷制御方法およびプログラムの実施の形態を詳細に説明する。
【００１２】
（実施の形態１）
まず、実施の形態１に係る画像形成システムの構成について図１を用いて説明する。本実施の形態においては、画像形成システムは、プリンタ制御装置（DFE:Digital  Front  End）５０（以下、「ＤＦＥ５０」という。）と、インタフェースコントローラ(MIC:Mechanism  I/F  Controller)６０（以下、「ＭＩＣ６０」という。）と、プリンタ機７０と、後処理機としてグロッサ８０及び低温定着機９０とが接続されて構成される。ＤＦＥ５０は、ＭＩＣ６０を介してプリンタ機７０と通信を行い、プリンタ機７０での画像の形成を制御する。また、ＤＦＥ５０には、ＰＣ(Personal  Computer)等のホスト装置１０が接続され、ＤＦＥ５０は、ホスト装置１０から画像データを受信して、当該画像データを用いて、プリンタ機７０がＣＭＹＫの各トナー及びクリアトナーに応じたトナー像を形成するための画像データを生成してこれをＭＩＣ６０を介してプリンタ機７０に送信する。プリンタ機７０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。
【００１３】
なお、プリンタ機７０と、グロッサ８０および低温定着機９０とで印刷装置３０を構成している。
【００１４】
ここで、クリアトナーとは、色材を含まない透明な（無色の）トナーである。なお、透明（無色）とは、例えば、透過率が７０％以上であることを示す。
【００１５】
プリンタ機７０は、ＭＩＣ６０を介してＤＦＥ５０から送信された画像データに応じて、露光器から光ビームを照射して各トナーに応じたトナー像を感光体上に形成して、これを記録媒体としての用紙に転写しこれを定着機によって所定の範囲内の温度（通常温度）での加熱及び加圧で定着させる。これによって用紙に画像が形成される。このようなプリンタ機７０の構成については周知であるため、ここでその詳細な説明を省略する。なお、用紙は記録媒体の一例であり、記録媒体としてはこれに限定されるものではない。例えば、記録媒体として、合成紙やビニール紙等も適用することができる。
【００１６】
グロッサ８０は、ＤＦＥ５０から指定されるオンオフ情報によりオン又はオフが制御され、オンにされた場合に、プリンタ機７０により用紙に形成された画像を高温及び高圧で加圧し、その後、冷却して本体から画像が形成された用紙を剥離する。これにより用紙に形成された画像全体において所定以上のトナーが付着した各画素のトナーの総付着量は均一に圧縮される。低温定着機９０には、クリアトナー用の感光体、帯電器、現像器および感光体クリーナを含む作像ユニット、露光器及び当該クリアトナーを定着させるための定着機が搭載されており、低温定着機９０を用いるためにＤＦＥ５０が生成した後述のクリアトナー版の画像データ（以下、「クリアトナー版データ」という場合もある。）が入力される。低温定着機９０は、当該低温定着機９０が用いるためのクリアトナー版データ（クリアトナー版データ）をＤＦＥ５０が生成した場合にはこれを用いてクリアトナーによるトナー像を形成して、グロッサ８０が加圧した用紙上に当該トナー像を重ねて、定着機によって通常よりも低い加熱または加圧で用紙に定着させる。
【００１７】
ここで、ホスト装置１０から入力される画像データ（原稿データ）について説明する。ホスト装置１０では、予めインストールされた画像処理アプリケーションにより画像データが生成されて、ＤＦＥ５０に送信される。このような画像処理アプリケーションでは、ＲＧＢ版やＣＭＹＫ版などの各色版における各色の濃度の値（濃度値という）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００１８】
本実施の形態では、この特色としてのクリアトナーを、用紙に付与する視覚的または触覚的な効果である表面効果を形成するため、および、用紙に、上記表面効果以外のウォータマークやテクスチャ等の透明画像を形成するために用いる。
【００１９】
このため、ホスト装置１０の画像処理アプリケーションは、入力された画像データに対して、有色版の画像データ（以下、「有色版データ」という場合もある。）の他、特色版の画像データとして、ユーザの指定により、光沢制御版の画像データ（以下、「光沢制御版データ」という場合もある。）および／またはクリア版の画像データ（以下、「クリア版データ」という場合もある。）とを生成する。
【００２０】
ここで、有色版データとは、画素毎にＲＧＢやＣＭＹＫ等の有色の濃度値を規定した画像データである。この有色版データでは、ユーザによる色の指定により、１画素を８ビットで表現される。図２は、有色版データの一例を示す説明図である。図２において、「Ａ」、「Ｂ」、「Ｃ」等の描画オブジェクトごとにユーザが画像処理アプリケーションで指定した色に対応する濃度値が付与される。
【００２１】
また、光沢制御版データとは、用紙に付与する視覚的または触覚的な効果である表面効果に応じたクリアトナーを付着させる制御を行うため、当該表面効果の与えられる領域および当該表面効果の種類を特定した画像データである。
【００２２】
この光沢制御版は、ＲＧＢやＣＭＹＫ等の有色版と同様に画素毎に８ビットで「０」〜「２５５」の範囲の濃度値で表され、この濃度値に、表面効果の種類が対応付けられる（濃度値は１６ビットや３２ビット、または０〜１００％で表してもよい）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版によって、表面効果の種類と、表面効果を与える領域とが表される（領域を表すデータを別途付与しても良い）。
【００２３】
ここで、ホスト装置１０は、ユーザが画像処理アプリケーションにより指定した描画オブジェクトに対する表面効果の種類を、描画オブジェクトごとに光沢制御値としての濃度値として設定してベクタ形式の光沢制御版データを生成する。
【００２４】
この光沢制御版データを構成する各画素は、有色版データの画素に対応する。尚、各画像データにおいては各画素の表す濃度値が画素値となる。また、有色版データ及び光沢制御版データは共にページ単位で構成される。
【００２５】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００２６】
鏡面光沢やベタ光沢は、光沢を与える度合いが高く、逆に、網点マットやつや消しは、光沢を抑えるためのものであり、特に、つや消しは、通常の用紙が有する光沢度より低い光沢度を実現するものである。同図中において、鏡面光沢はその光沢度Ｇｓが８０以上、べた光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。尚、処理対象の画像データによって表される画像のどの領域に表面効果を与えるのかやその領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザが指定した表面効果に対応する濃度値がセットされることにより、光沢制御版データが生成される。濃度値と表面効果の種類との対応関係については後述する。
【００２７】
図４は、光沢制御版データの一例を示す説明図である。図４の光沢制御版の例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値は、後述の濃度値選択テーブル（図６参照）で、表面効果の種類に対応して定められた濃度値である。
【００２８】
クリア版データとは、上記表面効果以外のウォータマークやテクスチャ等の透明画像を特定した画像データである。図５は、クリア版データの一例を示す説明図である。図５の例では、ユーザにより、ウォータマーク「Ｓａｌｅ」が指定されている。
【００２９】
このように、特色版の画像データである、光沢制御版データおよびクリア版データは、ホスト装置１０の画像処理アプリケーションにより、有色版データとは別のプレーンで生成される。また、有色版データ、光沢制御版データ、クリア版データの各形式は、ＰＤＦ（Portable  Document  Format）形式が用いられるが、各版のＰＤＦの画像データを統合して原稿データとして生成される。なお、各版の画像データのデータ形式は、ＰＤＦに限定されるものではなく、任意の形式を用いることができる。
【００３０】
ここで、ホスト装置１０の画像処理アプリケーションは、ユーザが指定した表面効果の種類を、濃度値に変換して、光沢制御版データを生成する。かかる変換は、ホスト装置１０の記憶部に予め記憶された濃度値選択テーブルを参照して行われる。濃度値選択テーブルは、表面効果の種類と、当該表面効果の種類に対応する光沢制御版の濃度値とを対応付けたテーブルデータである。図６は、濃度値選択テーブルの一例を示す図である。図６の例では、ユーザにより「ＰＧ」（鏡面光沢）が指定された領域に対応する光沢制御版の濃度値は「９８％」に相当する画素値であり、「Ｇ」（ベタ光沢）が指定された領域に対応する光沢制御版の濃度値は「９０％」に相当する画素値であり、「Ｍ」（網点マット）が指定された領域に対応する光沢制御版の濃度値は「１６％」に相当する画素値であり、「ＰＭ」（つや消し）が指定された領域に対応する光沢制御版の濃度値は「６％」に相当する画素値である。
【００３１】
この濃度値選択テーブルは、ＤＦＥ５０で記憶している表面効果選択テーブル（後述）の同一のデータであり、ホスト装置１０の制御部が所定のタイミングで表面効果選択テーブルを取得して、取得した表面効果選択テーブルから生成して（コピーして）記憶部に保存する。ここで、図６では、濃度値選択テーブルの例を簡略化して示しているが、実際は、濃度値選択テーブルは図１１の表面効果選択テーブルと同一のテーブルとなっている。なお、インターネット等のネットワーク上のストレージサーバ（クラウド）に表面効果選択テーブルを保存しておき、制御部１５が当該サーバから表面効果選択テーブルを取得して、取得した表面効果選択テーブルから生成（コピー）するように構成してもよい。ただし、ＤＦＥ５０で記憶している表面効果選択テーブルとホスト装置の記憶部に保存されている表面効果選択テーブルとは同じデータである必要がある。
【００３２】
具体的には、ホスト装置１０の画像処理アプリケーションは、図６に示す濃度値選択テーブルを参照しながら、ユーザにより所定の表面効果が指定された描画オブジェクトの濃度値（光沢制御値）を、当該表面効果の種類に応じた値に設定することで、光沢制御版データを生成する。例えばユーザにより、図２に示した有色版データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、濃度値選択テーブルを参照して、ユーザにより「ＰＧ」が指定された描画オブジェクト（「ＡＢＣ」）の濃度値を「９８％」に相当する画素値に設定し、「Ｇ」が指定された描画オブジェクト（「長方形」）の濃度値を「９０％」に相当する画素値に設定し、「Ｍ」が指定された描画オブジェクト（「円形」）の濃度値を「１６％」に相当する画素値に設定することで、光沢制御版データを生成する。ホスト装置１０で生成された光沢制御版データは、点の座標と、それを結ぶ線や面の方程式のパラメータ、および、塗り潰しや特殊効果などを示す描画オブジェクトの集合として表現されるベクタ形式のデータである。図４は、この光沢制御版データをイメージとして示した図であり、図７は、図４の光沢制御版データにおいて、描画オブジェクト、座標、濃度値との対応関係を示す図である。
【００３３】
ホスト装置１０は、光沢制御版データと、対象画像の画像データ（有色版データ）と、クリア版データとを統合した原稿データを生成する。
【００３４】
そして、ホスト装置１０は、この原稿データに基づいて印刷データを生成する。印刷データは、対象画像の画像データ（有色版データ）と、光沢制御版データと、クリア版データと、例えばプリンタの設定、集約の設定、両面の設定などをプリンタに対して指定するジョブコマンドとを含んで構成される。図８は、印刷データの構成例を概念的に示す模式図である。図８の例では、ジョブコマンドとして、ＪＤＦ（Job  Definition  Format）が用いられているが、これに限られるものではない。図８に示すＪＤＦは、集約の設定として「片面印刷・ステープル有り」を指定するコマンドである。また、印刷データは、PostScriptのようなページ記述言語（ＰＤＬ）に変換されてもよいし、ＤＦＥ５０が対応していれば、ＰＤＦ形式のままでもよい。
【００３５】
次に、ＤＦＥ５０の機能的構成について説明する。ＤＦＥ５０は、図９に例示されるように、レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７と、入力部５８と、表示部５９とを有する。レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７とは、ＤＦＥ５０の制御部が主記憶部や補助記憶部に記憶されている各種プログラムを実行することにより実現されるものである。ｓｉ１部５２、ｓｉ２部５４及びｓｉ３部５７はいずれも、画像データを分離する(separate)機能と、画像データを統合する（integrate）機能とを有するものである。
【００３６】
なお、これ以降、印刷データは、有色版データと光沢制御版データとから構成され、クリア版データは含まれていない場合を例にあげて説明するが、印刷データにクリア版データを含む構成としてもよい。
【００３７】
入力部５８は、キーボードやマウス等の入力デバイスである。表示部５９は、ディスプレイ装置等の表示デバイスである。
【００３８】
レンダリングエンジン５１には、ホスト装置１０から送信された印刷データ（図８に示した印刷データ）が入力される。レンダリングエンジン５１は、入力された画像データを言語解釈して、ベクタ形式で表現される画像データをラスタ形式に変換すると共に、ＲＧＢ形式等で表現された色空間をＣＭＹＫ形式の色空間に変換して、ＣＭＹＫの各８ビットの有色版データ及び８ビットの光沢制御版データを出力する。ｓｉ１部５２は、ＣＭＹＫの各８ビットの有色版データをＴＲＣ５３に出力し、８ビットの光沢制御版データをクリアプロセッシング５６に出力する。ここで、ＤＦＥ５０は、ホスト装置１０から出力されたベクタ形式の光沢制御版データをラスタ形式の光沢制御版データに変換し、この結果、ＤＦＥ５０は、ユーザが画像処理アプリケーションにより指定した描画オブジェクトに対する表面効果の種類を、画素を単位として濃度値として設定して光沢制御版データを出力する。
【００３９】
ＴＲＣ５３には、ｓｉ１部５２を介してＣＭＹＫの各８ビットの画像データが入力される。ＴＲＣ５３には、入力された画像データに対してキャリブレーションにより生成された１Ｄ＿ＬＵＴのガンマカーブでガンマ補正を行う。画像処理としては、ガンマ補正の他にトナーの総量規制等がある。総量規制とは記録媒体上の１画素において、プリンタ機７０でのせることが可能なトナー量に限界があるため、ガンマ補正後のＣＭＹＫ各８ビットの有色版データを制限する処理である。ちなみに、総量規制を越えて印刷した場合、転写不良や定着不良により画質が劣化してしまう。当実施例では関連するガンマ補正のみを取り上げて説明している。
【００４０】
ｓｉ２部５４は、ＴＲＣ５３でガンマ補正されたＣＭＹＫの各８ビットの有色版データを、インバースマスク（後述する）を生成するためのデータとしてクリアプロセッシング５６へ出力する。ハーフトーンエンジン５５には、ｓｉ２部５４を介してガンマ補正後のＣＭＹＫの各８ビットの有色版データが入力される。ハーフトーンエンジン５５は、入力された画像データをプリンタ機７０に出力するための、例えばＣＭＹＫの各２ビット等の有色版データのデータ形式に変換するハーフトーン処理を行い、ハーフトーン処理後のＣＭＹＫ各２ビット等の有色版データを出力する。なお、２ビットは一例であり、これに限定されるものではない。
【００４１】
クリアプロセッシング５６には、レンダリングエンジン５１が変換した８ビットの光沢制御版データがｓｉ１部５２を介して入力されると共に、ＴＲＣ５３がガンマ補正を行ったＣＭＹＫの各８ビットの有色版データがｓｉ２部５４を介して入力される。
【００４２】
図１０は、クリアプロセッシング５６の機能的構成を示すブロック図である。クリアプロセッシング５６は、図１０に示すように、表面効果選択テーブル記憶部５６１と、光沢制御版記憶部５６２と、表面効果選択テーブル決定部５６４と、クリアトナー版生成部５６３と、用紙情報取得部５６５と、入出力制御部５６７とを主に備えている。
【００４３】
表面効果選択テーブル記憶部５６１には、用紙ごとの後述する表面効果選択テーブルが記憶される。光沢制御版記憶部５６２は、ｓｉ１部５２から入力された８ビットの光沢制御版データが記憶される。
【００４４】
クリアトナー版生成部５６３は、ｓｉ１部５２から入力され、光沢制御版記憶部５６２に記憶された光沢制御版データを用いて、後述の表面効果選択テーブルを参照して、光沢制御版データを構成する各画素の表す濃度値（画素値）に対する表面効果を判断する。そして、クリアトナー版生成部５６３は、当該判断に応じて、グロッサ８０のオン又はオフを決定すると共に、入力されたＣＭＹＫの各８ビットの有色版データを用いてインバースマスクやベタマスクを適宜生成することにより、クリアトナーを付着させるための２ビットのクリアトナー版データを適宜生成する。そして、クリアトナー版生成部５６３は、表面効果の判断の結果に応じて、プリンタ機７０で用いるクリアトナー版データと、低温定着機９０で用いるクリアトナー版データとを適宜生成してこれらを出力すると共に、グロッサ８０のオン又はオフを示すオンオフ情報を出力する。
【００４５】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。例えば、上述のインバースマスク１は以下の式１で表される。
【００４６】
Ｃｌｒ＝１００−（Ｃ＋Ｍ＋Ｙ＋Ｋ）  但し、Ｃｌｒ＜０となる場合、Ｃｌｒ＝０
・・・(式１)
【００４７】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【００４８】
例えば、インバースマスクは、各画素にクリアトナーを均一に付着させるものであってもよい。この場合のインバースマスクは、ベタマスクともいい、以下の式２で表される。
Ｃｌｒ＝１００・・・(式２)
【００４９】
尚、表面効果を与える対象の画素の中でも、１００％以外の濃度率が対応付けられるものがあるようにしても良く、ベタマスクのパターンは複数有り得る。
【００５０】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００５１】
また、例えばインバースマスクは、最大面積率の網点が平滑性を律すると仮定した方法により求められるものであってもよい。この場合のインバースマスクは、例えば以下の式４で表される。
Ｃｌｒ＝１００−max（Ｃ，Ｍ，Ｙ，Ｋ）・・・(式４)
上記式４において、max（Ｃ，Ｍ，Ｙ，Ｋ）は、ＣＭＹＫのうち最大の濃度値を示す色の濃度値が代表値となることを示す。
【００５２】
要するに、インバースマスクは、上記式１〜式４の何れかの式により表されるものであればよい。
【００５３】
表面効果選択テーブル記憶部５６１に記憶されている表面効果選択テーブルについて説明する。表面効果選択テーブルは、表面効果を示す光沢制御値である濃度値と当該表面効果の種類の対応関係を示すと共に、これらと、画像形成システムの構成に応じた後処理機に関する制御情報と、プリンタ機７０で用いるクリアトナー版データ及び後処理機で用いるクリアトナー版データとの対応関係を示すテーブルである。
【００５４】
画像形成システムの構成は、様々に異なり得るが、本実施の形態においては、プリンタ機７０に後処理機としてグロッサ８０及び低温定着機９０が接続される構成である。このため、画像形成システムの構成に応じた後処理機に関する制御情報とは、グロッサ８０のオン又はオフを示すオンオフ情報となる。また、後処理機で用いるクリアトナー版データとしては、低温定着機９０で用いるクリアトナー版データがある。
【００５５】
本実施の形態では、表面効果選択テーブル記憶部５６１は、用紙種類ごとに異なる表面効果選択テーブルを記憶している。本実施の形態では、用紙種類として、光沢度が高いコート紙、光沢度が中程度の普通紙、光沢度が低いマット紙の３種類あり、このため、コート紙用の表面効果選択テーブル、普通紙用のコート紙用の表面効果選択テーブル、マット紙用のコート紙用の表面効果選択テーブルが、表面効果選択テーブル記憶部５６１に記憶されている。
【００５６】
図１１は、コート紙用の表面効果選択テーブルのデータ構成を例示する図である。図１２は、普通紙用の表面効果選択テーブルのデータ構成を例示する図である。図１３は、マット紙用の表面効果選択テーブルのデータ構成を例示する図である。
【００５７】
尚、表面効果選択テーブルは、異なる画像形成システムの構成毎に、後処理機に関する制御情報と、プリンタ機７０で用いるクリアトナー版１の画像データ及び後処理機で用いるクリアトナー版２の画像データと、濃度値及び表面効果の種類との対応関係を示すように構成され得るが、図１１〜１３では、本実施の形態に係る画像形成システムの構成に応じたデータ構成を例示している。同図に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果が対応付けられている。
【００５８】
図１１のコート紙用の表面効果選択テーブルを例にあげてより具体的に説明すると、例えば、「２３８」〜「２５５」の画素値に対しては表面効果として鏡面光沢（PM:Premium  Gross）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。
【００５９】
また、「２１２」〜「２３２」の画素値に対しては、ベタ光沢(G:Gross)が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。
【００６０】
また、「２３」〜「４３」の画素値に対しては、網点マット(M:Matt)が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し(PM:Premium  Matt)が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機７０や低温定着機９０で使用するクリアトナー版データを求める式に違いがあり、プリンタ本体や後処理機の動作は同じである。尚、「０」の濃度値には、表面効果を与えないことが対応付けられている。
【００６１】
また、図１１には、画素値及び表面効果に対応して、グロッサ８０のオン又はオフを示すオンオフ情報と、プリンタ機７０で用いるクリアトナー版１の画像データ（図１のＣｌｒ−１）及び低温定着機９０で用いるクリアトナー版２の画像データの内容とが各々示されている。例えば、表面効果が鏡面光沢である場合、グロッサ８０をオンにすることが示されると共に、プリンタ機７０で用いるクリアトナー版１の画像データは、インバースマスクを表すものであり、低温定着機９０で用いるクリアトナー版２の画像データ（図１のＣｌｒ−２）は、ないことが示されている。当該インバースマスクは、例えば上述した式１により求められるものである。尚、図１１に示される例は、表面効果として鏡面効果が指定された領域が、画像データによって規定される領域全体に相当する場合の例である。表面効果として鏡面効果が指定された領域が、画像データによって規定される領域の一部に相当する場合の例については後述する。
【００６２】
また、濃度値が「２２８」〜「２３２」であり表面効果がベタ光沢である場合、グロッサ８０をオフにすることが示されていると共に、プリンタ機７０で用いるクリアトナー版１の画像データは、インバースマスク１であり、低温定着機９０で用いるクリアトナー版２の画像データは、ないことが示されている。
【００６３】
尚、当該インバースマスク１は、上記式１〜式４の何れかの式により表されるものであればよい。これはグロッサ８０がオフなので平滑化されるトナーの総付着量が異なるため、鏡面光沢により表面の凹凸が増え、その結果、鏡面光沢により光沢度が低いベタ光沢が得られる。また、表面効果が網点マットである場合、グロッサ８０をオフにすることが示されていると共に、プリンタ機７０で用いるクリアトナー版１の画像データは、ハーフトーン（網点）を表すものであり、低温定着機９０で用いるクリアトナー版２の画像データは、ないことが示されている。また、表面効果がつや消しである場合、グロッサ８０をオン又はオフのいずれにしても良いことが示されていると共に、プリンタ機７０で用いるクリアトナー版１の画像データは、なく、低温定着機９０で用いるクリアトナー版２の画像データは、ベタマスクを表すものであることが示されている。当該ベタマスクは、例えば上述の式２により求められるものである。
【００６４】
普通紙用の表面効果選択テーブル、マット紙用の表面効果選択テーブルは、図１２、図１３に示すように、鏡面光沢のタイプ、ベタ光沢のタイプ、網点マットのタイプ、つや消しのタイプが、各紙の光沢度に応じて、コート紙用の表面効果選択テーブルと異なっている。例えば、表面効果が鏡面光沢やベタ光沢の場合、用紙種類が光沢度が低い用紙ほど、クリアトナーまたは有色トナーの付着量を増加させるようなタイプに設定している。なお、網点マット、つや消しの表面効果についても、同様に、コート紙、普通紙、マット紙に応じて、タイプが異なっている。
【００６５】
より具体的には、コート紙用の表面効果選択テーブルでは、鏡面光沢のタイプが、濃度「９８％」で「Ａ」、濃度「９６％」で「Ｂ」、濃度「９４％」で「Ｃ」と登録されているのに対し（図１１参照）、コート紙より光沢度の低い普通紙用の表面効果選択テーブルでは、図１２に示すように、鏡面光沢のタイプが濃度「９８％」および濃度「９６％」で「Ａ」、「９４％」で「Ｂ」と登録されている。ここで、「Ａ」、「Ｂ」、「Ｃ」の順に光沢度が高いものとする。また、図１１〜１３に示すように、鏡面光沢のタイプＡ，Ｂ，Ｃの相違により、プリンタ機７０用のクリアトナー版１の画像データのインバースマスクが異なるものとなり、これにより、コート紙より光沢度の低い普通紙の場合、コート紙に設定された濃度と同じ濃度でも、高いタイプの鏡面光沢のタイプが設定されることになる。
【００６６】
また、さらに光沢度の低いマット紙用の表面効果選択テーブルでは、図１３に示すように、濃度「９８％」、「９６％」、「９４％」のすべてにおいて、鏡面光沢のタイプが最も光沢度の高い「Ａ」と登録されている。
【００６７】
また、ベタ光沢の場合も同様に、コート紙用の表面効果選択テーブルでは、ベタ光沢のタイプが濃度「９０％」で「１」、濃度「８８％」で「２」、濃度「８６％」で「３」、濃度「８４％」で「４」、と登録されているのに対し（図１１参照）、コート紙より光沢度の低い普通紙用の表面効果選択テーブルでは、図１２に示すように、ベタ光沢のタイプが濃度「９０％」および濃度「８８％」で「１」、「８６％」で「２」、「８４％」で「３」と登録されている。ここで、タイプ「１」、「２」、「３」、「４」の順に光沢度が高いものとする。また、図１１〜１３に示すように、ベタ光沢のタイプ１，２，３，４の相違により、プリンタ機７０用のクリアトナー版１の画像データのインバースマスクが異なるものとなる。
【００６８】
また、さらに光沢度の低いマット紙用の表面効果選択テーブルでは、図１３に示すように、濃度「９０％」、「８８％」、「８６％」、「８４％」のすべてにおいて、ベタ光沢のタイプが最も光沢度の高い「１」と登録されている。
【００６９】
図１０に戻り、用紙情報取得部５６５は、ＭＩＣ６０を介してプリンタ機７０から、プリンタ機７０の印刷対象の用紙の用紙情報を取得し、取得した用紙情報を、表面効果選択テーブル決定部５６４へ出力する。ここで、用紙情報には、用紙種類と、用紙の光沢度と、用紙の凹凸情報とが含まれる。
【００７０】
用紙種類は、上述のとおり、「コート紙」、「普通紙」、「マット紙」のいずれかであり、コート紙、普通紙、マット紙の順に光沢度が高い。なお、用紙種類の内容は一例であり、「コート紙」、「普通紙」、「マット紙」に限定されるものではない。用紙の光沢度は、「高光沢」、「中光沢」、「低光沢」のいずれかが指定される。用紙の凹凸情報は、平滑度を意味し、「粗い」または「細かい」が指定される。
【００７１】
ここで、用紙種類と、用紙の光沢度と、用紙の凹凸情報とは、互いに関連がある。図１４は、用紙種類、用紙の光沢度、用紙の凹凸情報の関連性を示す図である。図１４に示すように、用紙種類が「コート紙」の用紙は、光沢度が「高光沢」、凹凸情報（平滑度）が「細かい」となる。用紙種類が「普通紙」の用紙は、光沢度が「中光沢」、凹凸情報（平滑度）が指定なしとなる。となる。用紙種類が「マット紙」の用紙は、光沢度が「低光沢」、凹凸情報（平滑度）が「粗い」となる。
【００７２】
従って、光沢度、平滑度がわかれば、用紙種類は、図１４の関連性から求めることができることになる。
【００７３】
図１０に戻り、入出力制御部５６７は、表示部５９に対する各種画面の表示制御、および入力部５８からの各種指定の入力制御を行う。本実施の形態では、入出力制御部５６７は、表示部５９に、用紙種類設定画面、光沢度設定画面、平滑度設定画面を表示させる制御を行う。また、入出力制御部５６７は、表示部５９に表示された用紙種類設定画面からの用紙種類の指定、表示部５９に表示された光沢度設定画面からの光沢度の指定、表示部５９に表示された平滑度設定画面からの平滑度（凹凸情報）の指定を入力する。入出力制御部５６７は、ユーザから入力された用紙種類、用紙の光沢度、平滑度としての用紙の凹凸情報を、ユーザ指定の用紙情報として、表面効果選択テーブル決定部５６４へ出力する。
【００７４】
図１５は、用紙種類設定画面の一例を示す図である。図１５に示すように、用紙種類設定画面には、用紙種類のユーザ設定の有効、無効を指定するラジオボタンが表示され、「有効」のラジオボタンが指定されている場合に、用紙種類を、「コート紙」、「普通紙」「マット紙」の中からラジオボタンによりユーザが指定可能となっている。指定された用紙種類が入出力制御部５６７に入力イベントとして通知される。
【００７５】
図１６は、光沢度設定画面の一例を示す図である。図１６に示すように、光沢度設定画面には、光沢度のユーザ設定の有効、無効を指定するラジオボタンが表示され、「有効」のラジオボタンが指定されている場合に、光沢度を、「高光沢」、「中光沢」、「低光沢」の中からラジオボタンによりユーザが指定可能となっている。指定された光沢度が入出力制御部５６７に入力イベントとして通知される。
【００７６】
図１７は、平滑度設定画面の一例を示す図である。図１７に示すように、平滑度設定画面には、平滑度のユーザ設定の有効、無効を指定するラジオボタンが表示され、「有効」のラジオボタンが指定されている場合に、平滑度を、「粗い」、「細かい」の中からラジオボタンによりユーザが指定可能となっている。指定された平滑度が、用紙の凹凸情報として入出力制御部５６７に入力イベントとして通知される。
【００７７】
また、入出力制御部５６７は、用紙情報となる要素とその優先順位をユーザに指定させる用紙情報の登録画面を表示部５９に表示させる制御を行う。図１８は、用紙情報の登録画面の一例を示す図である。
【００７８】
図１８に示すように、用紙情報の登録画面に、「未登録リスト」と「登録リスト」の２つの要素リスト欄を設けている。「未登録リスト」には、表面効果選択テーブルを決定するための要素として、選択可能な用紙情報となり得る要素が列挙して表示される。「登録リスト」には、表面効果選択テーブルを決定するための要素となる用紙情報となった要素が列挙される。
【００７９】
各リストの要素は、画面押下による対象の選択後、横（左右）矢印を押下することで、２つのリスト間で互いの用紙情報を移動させることができる。また、「登録リスト」内の用紙情報は、画面押下による対象の選択後、縦（上下）矢印を押下することで、リスト内の項目の表示順を変えることができ、項目の上から順に表面効果選択テーブルを決定するための要素として、高い優先順位が割り当てられる。
【００８０】
また、ユーザが表面効果選択テーブルを決定するための要素を新たに登録する場合、画面上の「新規登録」ボタンを押下し、新規登録する要素を選択する。
【００８１】
図１０に戻り、表面効果選択テーブル決定部５６４は、用紙情報取得部５６５で取得された用紙情報の用紙種類、あるいは、入出力制御部５６７から出力されたユーザが指定した用紙情報の用紙種類に対応する表面効果選択テーブルを、表面効果選択テーブル記憶部５６１の中から選択することにより、クリアトナー版データを生成するための表面効果選択テーブルを決定する。
【００８２】
より具体的には、表面効果選択テーブル決定部５６４は、用紙情報がユーザで指定されている場合、ユーザが指定した用紙情報を用いて、表面効果選択テーブルを選択する。一方、用紙情報がユーザで指定されていない場合、用紙情報取得部５６５により、ＭＩＣ６０を介してプリンタ機７０に対して用紙情報の取得要求を送信し、これに応答してプリンタ機７０から送信される用紙情報をＭＩＣ６０を介して受信する。そして、表面効果選択テーブル決定部５６４は、用紙情報取得部５６５で受信した用紙情報を用いて、表面効果選択テーブルを選択する。
【００８３】
ここで、用紙情報がユーザで指定されているか否かの判断は、ユーザが指定した用紙情報が入出力制御部５６７から出力されているか否かを判断することにより行う。あるいは、入出力制御部５６７がユーザから指定された用紙情報を、一旦ＲＡＭ等のメモリ（不図示）に格納しておき、表面効果選択テーブル決定部５６４が当該ＲＡＭにユーザから指定された用紙情報が記憶されているか否かを判断することにより、用紙情報がユーザで指定されているか否かを判断するように構成してもよい。
【００８４】
表面効果選択テーブル決定部５６４は、ＭＩＣ６０を介してプリンタ機７０に対して用紙情報の取得要求を送信する際、用紙情報の登録画面でユーザが指定した優先順位が最も高い用紙情報の要素を、プリンタ機７０に対して要求し、優先順位が最も高い用紙情報の要素を受信する。
【００８５】
表面効果選択テーブル決定部５６４は、用紙情報に用紙種類が含まれる場合には、当該用紙種類に対応する表面効果選択テーブルを選択する。一方、用紙情報に用紙種類が含まれていない場合には、図１４に示した関連性により、用紙情報に含まれる用紙の光沢度、あるいは用紙の凹凸情報に関連する用紙種類を決定し、当該用紙種類に対応する表面効果選択テーブルを選択する。
【００８６】
また、用紙情報に、用紙種類、用紙の光沢度、用紙の凹凸情報のすべてが含まれる場合には、表面効果選択テーブル決定部５６４は、これら３つの要素のうち最も優先順位の高い要素を用いて、対応する表面効果選択テーブルを選択する。すなわち、表面効果選択テーブル決定部５６４は、最も高い優先順位の要素が用紙種類の場合には、これをそのまま用い、用紙の光沢度または用紙の凹凸情報が最も優先順位が高い場合には、当該要素に関連する用紙種類に対応する表面効果選択テーブルを選択する。
【００８７】
また、用紙情報に、用紙種類、用紙の光沢度、用紙の凹凸情報のいずれか２つが含まれる場合には、表面効果選択テーブル決定部５６４は、これら２つの要素のうち優先順位の高い方の要素を用いて、対応する表面効果選択テーブルを選択する。
【００８８】
クリアプロセッシング５６のクリアトナー版生成部５６３は、上述のように、表面効果選択テーブル決定部５６４により選択された表面効果選択テーブルを参照して、光沢制御版データによって示される各画素値に対応付けられている表面効果を判断すると共に、グロッサ８０のオン又はオフを判断して、プリンタ機７０及び低温定着機９０でどのようなクリアトナー版データを用いるかを判断する。尚、クリアトナー版生成部５６３は、グロッサ８０のオン又はオフの判断を１ページ毎に行う。そして、上述したように、クリアトナー版生成部５６３は、当該判断の結果に応じて、クリアトナー版データを適宜生成してこれを出力すると共に、グロッサ８０に対するオンオフ情報を出力する。これにより、用紙の種類に応じてユーザが意図した効果の光沢効果を有するクリアトナー版データを生成することになる。
【００８９】
ｓｉ３部５７は、ハーフトーン処理後のＣＭＹＫの各２ビットの画像データと、クリアプロセッシング５６が生成した２ビットのクリアトナー版データとを統合し、統合した画像データをＭＩＣ６０に出力する。尚、クリアプロセッシング５６は、プリンタ機７０で用いるクリアトナー版データ及び低温定着機９０で用いるクリアトナー版データのうち少なくとも一方を生成しない場合があるので、クリアプロセッシング５６が生成した方のクリアトナー版データがｓｉ３部５７で統合され、両方のクリアトナー版データをクリアプロセッシング５６が生成していない場合には、ｓｉ３部５７からはＣＭＹＫの各２ビットの画像データが統合された画像データが出力される。この結果、ＤＦＥ５０からは各々２ビットの４つ〜６つの画像データがＭＩＣ６０へ送り出されることになる。また、ｓｉ３部５７は、クリアプロセッシング５６が出力したグロッサ８０に対するオンオフ情報もＭＩＣ６０に出力する。
【００９０】
ＭＩＣ６０は、ＤＦＥ５０とプリンタ機７０とに接続される。ＭＩＣ６０は、後処理機として搭載されている装置構成を示す装置構成情報をＤＦＥ５０に出力する。また、ＭＩＣ６０は、色版の画像データ、クリアトナー版の画像データをＤＦＥ５０から受信して各画像データを対応する装置に振り分けるとともに、後処理機の制御を行う。より具体的には、ＭＩＣ６０は、図１９に例示されるように、ＤＦＥ５０から出力された画像データのうちＣＭＹＫの色版の画像データをプリンタ機７０に出力し、プリンタ機７０で用いるクリアトナー版の画像データがある場合にはこれもプリンタ機７０に出力し、ＤＦＥ５０から出力されたオンオフ情報を用いて、グロッサ８０をオン又はオフにして、低温定着機９０で用いるクリアトナー版の画像データがある場合にはこれを低温定着機９０に出力する。グロッサ８０はオンオフ情報によって定着を行う経路と行わない経路とを切り替えても良い。低温定着機９０はクリアトナー版の画像データの有無によってオン又はオフの切り替えやグロッサ８０と同様の経路の切り替えをしても良い。
【００９１】
また、図１９に示すように、プリンタ機７０、グロッサ８０、低温定着機９０からなる印刷装置３０は、記録媒体を搬送する搬送路を備えている。なお、プリンタ機７０は、詳細には、電子写真方式の複数の感光体ドラム、感光体ドラム上に形成されたトナー像を転写される転写ベルト、転写ベルト上のトナー像を記録媒体に転写する転写装置、及び記録媒体上のトナー像を該記録媒体に定着させる定着機を備える。記録媒体は、図示を省略する搬送部材によって搬送路を搬送されることで、プリンタ機７０、グロッサ８０、低温定着機９０の設けられている位置を、この順に搬送される。そして、これらの機器によって順次処理が行われて画像形成及び表面効果が付与された後に、図示を省略する搬送機構によって搬送路を搬送されて、印刷装置の外部へと排出される。
【００９２】
このため、ＤＦＥ５０から出力された画像データが、ＣＭＹＫの有色版データ及びクリアトナー版データを含む場合には、該有色版データによって特定される有色画像が記録媒体に有色トナーで形成されると共に、クリアトナー版データによって特定される種類の表面効果がクリアトナーで該記録媒体に付与され、クリアトナー版データによって特定される透明画像がクリアトナーで該記録媒体に形成される。すなわち、記録媒体には、用紙の種類に応じてユーザが意図した効果の光沢効果を有するクリアトナー版データに基づいた表面効果が、記録媒体に付与されることとなる。
【００９３】
次に、プリンタ機７０の機能的構成について説明する。図２０は、本実施の形態のプリンタ機７０の機能的構成を示すブロック図である。本実施の形態のプリンタ機７０は、図２０に示すように、用紙情報管理部３０１と、光沢度計測部３０２と、凹凸情報計測部３０３と、用紙情報記憶部３０４と、印刷部３０５とを主に備えている。
【００９４】
印刷部３０５は、用紙に画像データを印刷するエンジンである。
【００９５】
用紙情報記憶部３０４には、現在の印刷対象の用紙の用紙種類が記憶されている。また、用紙情報記憶部３０４には、光沢度計測部３０２で計測された用紙の光沢度、凹凸情報計測部３０３で計測された用紙の凹凸情報（平滑度）も記憶される。用紙種類、用紙の光沢度、用紙の凹凸情報が用紙情報となる。用紙情報記憶部３０４は、ＨＤＤやメモリ等の記憶媒体である。
【００９６】
光沢度計測部３０２は、用紙情報管理部３０１からの計測指示を受けて、トレイ等に収容されている用紙の光沢度を計測し、計測された光沢度を用紙情報記憶部３０４に保存する。凹凸情報計測部３０３は、用紙情報管理部３０１からの計測指示を受けて、トレイ等に収容されている用紙の平滑度を計測し、計測された平滑度を用紙の凹凸情報として用紙情報記憶部３０４に保存する。なお、用紙の光沢度の計測手法、平滑度の計測手法については公知の手法を用いる。
【００９７】
用紙情報管理部３０１は、用紙情報記憶部３０４に記憶されている用紙情報を管理する。より具体的には、用紙情報管理部３０１は、ＭＩＣ６０を介してＤＦＥ５０から、用紙情報の取得要求を受信した場合に、取得要求で用紙種類が要求されている場合には、用紙情報記憶部３０４に記憶されている現在の印刷対象の用紙種類を用紙情報としてＭＩＣ６０を介してＤＦＥ５０に送信する。
【００９８】
また、取得要求で用紙の光沢度が要求されている場合には、用紙情報管理部３０１は、光沢度計測部３０２に用紙の光沢度の計測指示を行い、この結果、用紙情報記憶部３０４に格納された用紙の光沢度を、用紙情報としてＭＩＣ６０を介してＤＦＥ５０に送信する。また、取得要求で用紙の凹凸情報が要求されている場合には、用紙情報管理部３０１は、凹凸情報計測部３０３に用紙の平滑度の計測指示を行い、この結果、用紙情報記憶部３０４に格納された用紙の凹凸情報を、用紙情報としてＭＩＣ６０を介してＤＦＥ５０に送信する。
【００９９】
次に、本実施の形態に係る画像形成システムが行う光沢制御処理の手順について図２１を用いて説明する。ＤＦＥ５０がホスト装置１０から印刷データを受信すると（ステップＳ１１）、レンダリングエンジン５１は、これを言語解釈して、ベクタ形式で表現される画像データをラスタ形式に変換すると共に、ＲＧＢ形式で表現された色空間をＣＭＹＫ形式の色空間に変換して、ＣＭＹＫの各８ビットの有色版データ及び８ビットの光沢制御版データを得る（ステップＳ１２）。
【０１００】
この光沢制御版データの変換処理では、図４の光沢制御版データ、すなわち、図７で示したような、描画オブジェクトごとに表面効果を特定する濃度値が指定された光沢制御版データを、描画オブジェクトを構成する画素ごとに濃度値が指定された光沢制御版データに変換する。
【０１０１】
すなわち、レンダリングエンジン５１は、図７で示される光沢制御版データの描画オブジェクトに対応する座標の範囲の画素に対して、描画オブジェクトに対して設定された濃度値を付与することにより、光沢制御版データを変換する。これにより、光沢制御版データは、画素ごとに表面効果が設定された光沢制御版データに変換されることになる。
【０１０２】
次に、８ビット光沢制御版データが出力されたら、ＤＦＥ５０のＴＲＣ５３は、ＣＭＹＫの各８ビットの有色版データに対してキャリブレーションにより生成された１Ｄ＿ＬＵＴのガンマカーブでガンマ補正を行い、ガンマ補正後のＣＭＹＫの各８ビットの有色版データをｓｉ２部５４を介してハーフトーンエンジン５５とクリアプロセッシング５６とに出力する。ハーフトーンエンジン５５はガンマ補正後の画像データに対して、プリンタ機７０に出力するためのＣＭＹＫ各２ビットの有色版データのデータ形式に変換するハーフトーン処理を行い、ハーフトーン処理後のＣＭＹＫの各２ビットの有色版データを得る（ステップＳ１３）。
【０１０３】
また、ＤＦＥ５０のクリアプロセッシング５６では、表面効果選択テーブル決定部５６４によって、用紙情報に基づいて、表面効果選択テーブル記憶部５６１から、表面効果選択テーブルを選択して決定する処理を行う（ステップＳ１４）。この表面効果選択テーブルの決定処理の詳細については後述する。
【０１０４】
次に、クリアプロセッシング５６のクリアトナー版生成部５６３は、８ビットの光沢制御版データを用いて、ステップＳ１４で選択された、用紙種類に対応する表面効果選択テーブルを参照して、光沢制御版データによって示される各画素値に対して指定された表面効果を判断する。そして、クリアトナー版生成部５６３は、光沢制御版データを構成する全ての画素について、このような判断を行う。尚、光沢制御版データにおいては、各表面効果を与える領域を構成する全ての画素について基本的に同一の範囲の濃度値を表す。このため、同一の表面効果であると判断した近傍の画素については、クリアトナー版生成部５６３は、同一の表面効果を与える領域に含まれるものとして判断する。このようにして、クリアプロセッシング５６のクリアトナー版生成部５６３は、表面効果を与える領域と、当該領域に対して与える表面効果の種類とを判断する。そして、クリアトナー版生成部５６３は、当該判断に応じて、グロッサ８０のオン又はオフを決定する（ステップＳ１５）。
【０１０５】
次に、クリアトナー版生成部５６３は、ｓｉ２部５４から出力されるガンマ補正後のＣＭＹＫの各８ビットの有色版データを適宜用いて、クリアトナーを付着させるための８ビットのクリアトナー版データを適宜生成する（ステップＳ１６）。そして、ハーフトーンエンジン５５は、ハーフトーン処理により、８ビットの画像データを用いた８ビットのクリアトナー版データを２ビットのクリアトナー版データに変換する（ステップＳ１７）。
【０１０６】
次に、ＤＦＥ５０のＳｉ３部５７は、ステップＳ１３で得たハーフトーン処理後のＣＭＹＫの各２ビットの有色版データと、ステップＳ１７で生成した２ビットのクリアトナー版データとを統合し、統合した画像データと、ステップＳ１５で決定したグロッサ８０のオン又はオフを示すオンオフ情報とをＭＩＣ６０に対して出力する（ステップＳ１８）。
【０１０７】
尚、ステップＳ１６で、クリアトナー版生成部５６３が、クリアトナー版データを生成していない場合には、ステップＳ１８では、ステップＳ１３で得たハーフトーン処理後のＣＭＹＫの各２ビットの有色版データのみが統合されてＭＩＣ６０に出力される。
【０１０８】
次に、ステップＳ１４における表面効果選択テーブルの決定処理の詳細について説明する。図２２は、表面効果選択テーブルの決定処理の手順を示すフローチャートである。
【０１０９】
まず、表面効果選択テーブル決定部５６４は、用紙情報がユーザにより設定されているか否かを判断する（ステップＳ２０）。
【０１１０】
そして、用紙情報がユーザにより設定されている場合には（ステップＳ２０：Ｙｅｓ）、表面効果選択テーブル決定部５６４は、ユーザ設定の用紙情報を入出力制御部５６７あるいはＲＡＭ等から取得する（ステップＳ２１）。
【０１１１】
一方、ステップＳ２０で用紙情報がユーザにより設定されていない場合には（ステップＳ２０：Ｎｏ）、用紙情報取得部５６５が、ＭＩＣ６０を介してプリンタ機７０に用紙情報の取得要求を送信し（ステップＳ２２）、用紙情報を受信する（ステップＳ２３）。ここで、用紙情報取得部５６５は、用紙種類、用紙の光沢度、用紙の凹凸情報の要素のうち、ユーザにより設定された優先順位が一番高い要素の取得要求を行う。
【０１１２】
そして、表面効果選択テーブル決定部５６４は、取得した用紙情報に基づいて、表面効果選択テーブル記憶部５６１の中から表面効果選択テーブルを選択する（ステップＳ２４）。具体的には、表面効果選択テーブル決定部５６４は、上述したとおり、取得した用紙情報に含まれる用紙種類、あるい取得した用紙情報の光沢度や凹凸情報に関連した用紙種類を特定し、特定された用紙種類に対応する表面効果選択テーブルを選択する。
【０１１３】
ここで、ステップＳ２２で用紙情報の取得要求を受信したプリンタ機７０における用紙情報取得処理について説明する。図２３は、プリンタ機７０で実行される用紙情報取得処理の手順を示すフローチャートである。
【０１１４】
用紙情報管理部３０１は、ＤＦＥ５０から用紙情報の取得要求を受信すると、受信した用紙情報の取得要求の内容を確認する（ステップＳ３１）。そして、用紙情報管理部３０１は、取得要求で要求された用紙情報が用紙種類であるか否かを判断する（ステップＳ３２）。そして、要求された用紙情報が用紙種類である場合には（ステップＳ３２：Ｙｅｓ）、用紙情報管理部３０１は、用紙情報記憶部３０４に記憶されている、現在の用紙種類を用いると判断する。
【０１１５】
一方、ステップＳ３２において、要求された用紙情報が用紙種類でない場合には（ステップＳ３２：Ｎｏ）、用紙情報管理部３０１は、取得要求で要求された用紙情報が用紙の光沢度であるか否かを判断する（ステップＳ３３）。そして、要求された用紙情報が用紙の光沢度である場合には（ステップＳ３３：Ｙｅｓ）、用紙情報管理部３０１は、光沢度計測部３０２に光沢度の計測を依頼する（ステップＳ３４）。これにより、光沢度計測部３０２が、トレイに載置されている印刷対象の用紙の光沢度を計測して、計測された光沢度を、用紙情報記憶部３０４に保存する。
【０１１６】
一方、ステップＳ３３において、要求された用紙情報が用紙の光沢度でない場合には（ステップＳ３３：Ｎｏ）、用紙情報管理部３０１は、取得要求で要求された用紙情報が用紙の凹凸情報であるか否かを判断する（ステップＳ３５）。そして、要求された用紙情報が用紙の凹凸情報である場合には（ステップＳ３５：Ｙｅｓ）、用紙情報管理部３０１は、凹凸情報計測部３０３に平滑度の計測を依頼する（ステップＳ３６）。これにより、凹凸情報計測部３０３が、トレイに載置されている印刷対象の用紙の平滑度を計測して、計測された平滑度を、用紙の凹凸情報として用紙情報記憶部３０４に保存する。
【０１１７】
次に、用紙情報管理部３０１は、用紙情報記憶部３０４に保存されている用紙種類、用紙の光沢度、用紙の凹凸情報等の用紙情報を取得する（ステップＳ３７）。そして、用紙情報管理部３０１は、取得した用紙情報を、ＭＩＣ６０を介してＤＦＥ５０に送信する（ステップＳ３８）。
【０１１８】
このように本実施の形態では、用紙種類ごとに異なるタイプの表面効果が指定されて複数の表面効果選択テーブルを予め用意しておき、印刷対象の用紙情報の用紙種類を取得して、用紙種類に対応した表面効果選択テーブルを選択して、光沢制御版データを用いてクリアトナー版データを生成しているので、用紙の種類にかかわらず、ユーザが意図する表面効果を得ることができる。
【０１１９】
（実施の形態２）
実施の形態１では、用紙情報ごとの表面効果選択テーブルを、表面効果選択テーブル記憶部５６１に記憶して用いていたが、この実施の形態２では、さらに、取得した用紙情報が表面効果選択テーブル記憶部５６１に格納されていない場合には、用紙情報に応じた表面効果選択テーブルを生成して用いている。
【０１２０】
実施の形態２に係る画像形成システムの構成は、実施の形態１と同様に、ホスト装置１０と、ＤＦＥ５０と、ＭＩＣ６０と、プリンタ機７０と、後処理機としてグロッサ８０及び低温定着機９０とが接続されて構成される。ここで、ホスト装置１０、ＤＦＥ５０、ＭＩＣ６０、プリンタ機７０、グロッサ８０、低温定着機９０のそれぞれの構成、機能については、実施の形態１と同様である。また、有色版データ、表面効果の種類、光沢制御版データ、クリア版データ、ホスト装置１０が記憶する濃度値選択テーブル、印刷データの構成等についても、実施の形態１と同様である。
【０１２１】
本実施の形態のＤＦＥ５０は、実施の形態１と同様に、レンダリングエンジン５１と、ｓｉ１部５２と、ＴＲＣ５３と、ｓｉ２部５４と、ハーフトーンエンジン５５と、クリアプロセッシング２４５６と、ｓｉ３部５７と、入力部５８と、表示部５９とを有する。ここで、本実施の形態では、クリアプロセッシング２４５６の構成、機能が実施の形態１と異なっており、レンダリングエンジン５１、ｓｉ１部５２、ＴＲＣ５３、ｓｉ２部５４、ハーフトーンエンジン５５、ｓｉ３部５７、入力部５８、表示部５９については実施の形態１と同様である。
【０１２２】
図２４は、クリアプロセッシング２４５６の機能的構成を示すブロック図である。
【０１２３】
クリアプロセッシング２４５６は、図２４に示すように、表面効果選択テーブル記憶部５６１と、光沢制御版記憶部５６２と、表面効果選択テーブル決定部５６４と、クリアトナー版生成部５６３と、用紙情報取得部５６５と、入出力制御部５６７と、判別部５６６と、表面効果選択テーブル生成部５６８と、テストチャート印刷制御部５６９と、テスト用光沢制御版記憶部５６９Ａと、を主に備えている。光沢制御版記憶部５６２、表面効果選択テーブル決定部５６４については実施の形態１と同様である。
【０１２４】
表面効果選択テーブル記憶部５６１は、用紙に関する用紙情報（詳細後述）に対応づけて、後述する表面効果選択テーブルを記憶する。また、表面効果選択テーブル記憶部５６１は、適宜、ユーザを一意に識別するための識別情報、及び評価情報に対応づけて、表面効果選択テーブルを記憶する。
【０１２５】
表面効果選択テーブル記憶部５６１に記憶される識別情報には、アカウント情報等がある。この識別情報には、ユーザが入力部５８を介して用紙情報を入力するときに入力されるユーザアカウント等を用いる。評価情報とは、詳細は後述するが、テスト用光沢制御版データ（詳細後述）及び表面効果選択テーブルに基づいて用紙に印刷された、パッチ画像の群からなるテストチャートに基づいて、ユーザが入力した、各表面効果の種類に対応する評価結果を示す情報である。評価情報は、各表面効果の種類毎にユーザによって入力される。評価情報には、例えば、評価「高」、評価「中」、評価「低」等があるが、これらに限られない。また、評価情報は、このような３段階の評価に限られない。
【０１２６】
また、表面効果選択テーブル記憶部５６１は、用紙に付与する表面効果の種類の各々に対応づけて、各種類の表面効果を実現するのに適した用紙に関する用紙情報を記憶する。
【０１２７】
この各表面効果の種類に対応する、各種類の表面効果を実現するのに適した用紙に関する用紙情報は、予め、ユーザによる入力部５８の操作指示によって入力され、入出力制御部５６７によって表面効果選択テーブル記憶部５６１に記憶されるようにすればよい。また、この各表面効果の種類に対応する、各種類の表面効果を実現するのに適した用紙に関する用紙情報は、表面効果選択テーブル記憶部５６１に記憶されている、各表面効果選択テーブルに対応する評価情報に基づいて予め求めて、表面効果選択テーブル記憶部５６１に記憶してもよい。この場合には、例えば、入出力制御部５６７が、表面効果の種類毎に、最も高い評価情報が設定されている表面効果選択テーブルに対応する用紙情報を表面効果選択テーブル記憶部５６１から読み取り、読み取った用紙情報を、高い評価情報に対応する種類の表面効果に対応づけて、表面効果選択テーブル記憶部５６１に記憶すればよい。
【０１２８】
クリアトナー版生成部５６３は、実施の形態１と同様に、光沢制御版データを構成する各画素の表す濃度値（画素値）に対する表面効果を判断し、当該判断に応じて、グロッサ８０のオン又はオフを決定する。また、クリアトナー版生成部５６３は、実施の形態１と同様に、当該判断に応じて、入力されたＣＭＹＫの各８ビットの有色版データと該光沢制御版データとを用いて、インバースマスクやベタマスクを適宜生成することにより、クリアトナーを付着させるための２ビットのクリアトナー版データを適宜生成する。ここで、インバースマスクについては実施の形態１と同様である。
【０１２９】
また、クリアトナー版生成部５６３は、表面効果選択テーブル記憶部５６１に、表面効果選択テーブル決定部５６４で決定された表面効果選択テーブルに対応づけて、評価情報が記憶されている場合には、表面効果選択テーブル決定部５６４で決定された表面効果選択テーブルによって示される濃度値に対応する表面効果を、対応する評価情報に基づいて置換える。そして、置換後の表面効果の種類に対応する濃度値と、光沢制御版記憶部５６２に記憶された光沢制御版データと、から、クリアトナー版生成部５６３は、該光沢制御版データを構成する各画素の表す濃度値（画素値）に対する表面効果を判断する。
【０１３０】
また、クリアトナー版生成部５６３は、後述する表面効果選択テーブル生成部５６８からテストチャートの印刷要求を受け付けた場合には、表面効果選択テーブル記憶部５６１に格納されている表面効果テーブルの内の予め定めた（例えば普通紙の）１つの表面効果選択テーブルと、表面効果選択テーブル生成部５６８から受け付けたテスト用光沢制御版データと、に基づいて、テスト用光沢制御版データによって特定される表面効果の種類毎のパッチ画像の群からなるテストチャートを記録媒体に形成するための、テスト用クリアトナー版データを、クリアトナー版データとして生成する。
【０１３１】
テストチャートとは、表面効果の種類の異なる複数のパッチ画像を含む画像である。テスト用光沢制御版データは、これらの複数のパッチ画像が指定された画像データである。詳細には、テスト用光沢制御版データは、表面効果の種類の異なる複数のパッチ画像の各々の表面効果の種類と、各パッチ画像の形成領域と、を特定した画像データである。
【０１３２】
詳細には、クリアトナー版生成部５６３は、表面効果選択テーブル生成部５６８からテストチャートの印刷要求を受け付けた場合には、テスト用光沢制御版データを用いて、表面効果選択テーブル記憶部５６１に格納されている表面効果テーブルの内の予め定めた（例えば普通紙の）１つの表面効果選択テーブルを参照して、テスト用光沢制御版データを構成する各画素の表す濃度値（画素値）に対する表面効果を判断する。そして、クリアトナー版生成部５６３は、当該判断に応じて、グロッサ８０のオン又はオフを決定する。また、クリアトナー版生成部５６３は、当該判断に応じて、テスト用有色版データとテスト用光沢制御版データとを用いて、インバースマスクやベタマスクを適宜生成することにより、クリアトナーを付着させることで、表面効果の種類の異なる複数のパッチ画像の群からなるテストチャートを形成するための、２ビットのテスト用クリアトナー版データを、クリアトナーを付着させるためのクリアトナー版データとして生成する。
【０１３３】
なお、テスト用有色版データは、テスト用クリアトナー版データによって特定される表面効果の種類毎の各パッチ画像の説明画像（テキスト等）を有色トナーで形成するための画像データである。詳細には、テスト用有色版データは、テスト用クリアトナー版データによって特定される複数種類の各パッチ画像の記録媒体上の位置に対応する位置に有色トナーで形成する、各パッチ画像の表面効果の種類を示す画像（テキスト等）と、該表面効果の種類に対応する濃度値（または濃度率）を示す画像（テキスト等）と、を特定した画像データである。なお、このテスト用有色版データは、ＣＭＹＫの色毎に４版用意してもよいが、ＣＭＹＫの何れか１色以上毎に用意すればよい（すなわち、１版以上）。このテスト用有色版データは、予めクリアトナー版生成部５６３や、ｓｉ３部５７や、テスト用光沢制御版記憶部５６９Ａ等に記憶しておく。そして、クリアトナー版生成部５６３及びｓｉ３部５７では、テスト用有色版データを用いるときに、該テスト用有色版データを適宜読み出して用いればよい。
【０１３４】
表面効果選択テーブル記憶部５６１は、実施の形態１と同様に、用紙情報と、用紙情報に対応付けて、用紙情報ごとに異なる表面効果選択テーブルを記憶している。表面効果選択テーブルについては、実施の形態１と同様である。
【０１３５】
用紙情報取得部５６５は、実施の形態１と同様に、ＭＩＣ６０を介してプリンタ機７０から、プリンタ機７０の印刷対象の用紙の用紙情報を取得する。そして、用紙情報取得部５６５は、取得した用紙情報を、表面効果選択テーブル決定部５６４、及び判別部５６６へ出力する。また、用紙情報取得部５６５は、入出力制御部５６７を介してユーザからの用紙情報の設定入力を受け付けた場合には、設定入力された用紙情報を、表面効果選択テーブル決定部５６４、及び判別部５６６へ出力する。
【０１３６】
判別部５６６は、用紙情報取得部５６５で受け付けた用紙情報が、表面効果選択テーブル記憶部５６１に記憶されているか否かを判別する。詳細には、判別部５６６は、用紙情報取得部５６５から受け付けた用紙情報に含まれる比較条件と、表面効果選択テーブル記憶部５６１に記憶されている用紙情報に含まれる比較条件と、が一致するか否かを判断することで、受け付けた用紙情報が既に表面効果選択テーブル記憶部５６１に記憶されているか否かを判別する。なお、判別部５６６は、判別部５６６で該判断に用いる比較条件を、入出力制御部５６７から受け付ける。
【０１３７】
入出力制御部５６７は、実施の形態１と同様に、表示部５９に、用紙種類設定画面、光沢度設定画面、平滑度設定画面、用紙情報の登録画面を表示させる制御を行う。ここで、用紙種類設定画面、光沢度設定画面、平滑度設定画面、用紙情報の登録画面については実施の形態１と同様である。
【０１３８】
また、入出力制御部５６７は、評価情報入力画面、比較条件入力画面、表面効果選択テーブル検索画面、表面効果選択テーブル検索結果画面、用紙表示画面等を表示部５９に表示させる制御を行う。
【０１３９】
比較条件入力画面は、比較条件をユーザに指定させるための画面である。比較条件とは、用紙情報取得部５６５で受け付けた用紙情報が表面効果選択テーブル記憶部５６１に既に登録されているか否かを判別部５６６が判別するときに用いる条件である。
【０１４０】
図２５は、比較条件入力画面の一例を示す図である。図２５に示すように、比較条件入力画面には、用紙情報に含まれる全ての条件を示す「完全一致」、用紙情報に含まれる一部の条件を示す「部分一致」の何れかを選択するためのボタンが表示されている。「部分一致」には、例えば、「用紙名」、「用紙種類」、「光沢度」、「平滑度」、「用紙カラー」、及び「定着温度」等の各条件と、これらの条件の各々を個別に指定するためのラジオボタンと、が表示されている。ユーザは、該ラジオボタンの中から、比較条件として、「用紙名」、「用紙種類」、「光沢度」、「平滑度」、「用紙カラー」、及び「定着温度」等の各条件を指定可能となっている。指定された比較条件が、入出力制御部５６７に入力イベントとして通知される。
【０１４１】
また、表面効果選択テーブル検索画面は、表面効果選択テーブル記憶部５６１に格納されている表面効果選択テーブルの検索条件及び検索結果を表示するための画面である。図２６は、表面効果選択テーブル検索画面の一例を示す図である。また、図２７は、検索結果の画面の一例を示す図である。
【０１４２】
図２６に示すように、表面効果選択テーブル検索画面には、「検索条件」として、「用紙名」、「用紙種類」、「光沢度」、「平滑度」、及び「用紙カラー」等を設定するためのラジオボタンが表示されている。また、各検索条件の詳細条件を指示するための選択ボタンが表示されている。ユーザは、該ラジオボタンの中から、検索条件として、「用紙名」、「用紙種類」、「光沢度」、「平滑度」、及び「用紙カラー」等の各条件や、詳細条件を指定可能となっている。指定された検索条件が、入出力制御部５６７に入力イベントとして通知される。
【０１４３】
該検索条件を受け付けた入出力制御部５６７では、例えば、受け付けた検索条件に一致する情報を含む用紙情報、及び該用紙情報に対応する表面効果選択テーブルを表面効果選択テーブル記憶部５６１から検索し、該検索結果を含む表面効果選択テーブル検索結果画面を表示部５９に表示する制御を行う。
【０１４４】
図２６に、表面効果選択テーブル検索結果画面の一例を示した。図２６に示すように、表面効果選択テーブル検索結果画面には、上記検索条件で検索した「検索結果」として、検索条件に対応する用紙の識別情報（例えば、用紙名）の一覧が表示される。ユーザは、入力部５８を操作指示することで、表示された用紙の識別情報の一欄の中から、該識別情報に対応する所望の識別情報を指示するための「表示」ボタンを指定可能となっている。
【０１４５】
そして、入出力制御部５６７は、該「表示」ボタンの指定によって受け付けた、該「表示」ボタンの表示欄に表示されている用紙の識別情報に対応する表面効果選択テーブルを含む、表面効果選択テーブル検索画面を、表示部５９に表示する制御を行う。これによって、例えば、表示部５９には、ユーザによって選択された、検索条件に一致する表面効果選択テーブルが表示される。
【０１４６】
また、入出力制御部５６７は、用紙表示画面を表示部５９に表示させる制御を行う。図２８〜図３０は、用紙表示画面の一例を示す図である。
【０１４７】
図２８に示すように、用紙表示画面は、「ユーザ名」及び「表面効果」の２つの表示欄を有する。「ユーザ名」の欄には、例えば、用紙表示画面を起動させたユーザの識別情報が表示される。この識別情報には、例えば、入力部５８の操作指示によってユーザが用紙表示画面の起動指示を入力するときに、入力した、アカウント情報等の識別情報を用いればよい。
【０１４８】
「表面効果」の欄には、表示条件として、「表面効果」の種類の選択ボタンや、「表示順」の選択ボタンが表示される。また、ユーザ所有の用紙に限定した表示を行うか否かを指示するためのラジオボタンが表示される。なお、「表面効果」及び「表示順」内の種類は、画面矢印を押下することで、選択する表面効果の種類や、リスト内の項目の表示順を変えることができる。
【０１４９】
また、表示条件として、ユーザの「所有の用紙に限定する」ことを指示するためのラジオボタンも表示される。ユーザの「所有の用紙に限定する」ことを指示するためのラジオボタンは、該ユーザの識別情報に対応する用紙情報の表示を行うことを指示するためのラジオボタンである。なお、表面効果選択テーブル記憶部５６１は、各ユーザ所有の用紙に関する用紙情報として、ユーザの識別情報に対応づけて用紙情報を予め記憶している。例えば、クリアプロセッシング２４５６では、入力部５８を介してユーザの識別情報がユーザによって入力された後に最初に画像形成した用紙の用紙情報を、該識別情報に対応づけて表面効果選択テーブル記憶部５６１に順次記憶しておけばよい。
【０１５０】
ユーザは、表示条件として、「表面効果」の種類や、「表示順」や、「所有の用紙の限定する」を指示するためのラジオボックス等を指定可能となっている。図２８に示す例は、「表面効果」は鏡面光沢、「表示順」はコストの低い順、であり、所有の用紙に限定しない、といった表示条件に合致する用紙表示条件の表示が、ユーザによる入力部５８の操作指示によって指示された場合を示す模式図である。そして、指定された、用紙表示条件が、入出力制御部５６７に入力イベントとして通知される。
【０１５１】
入出力制御部５６７では、入力された用紙表示条件に含まれる、表面効果の種類に対応する用紙情報（表面効果の種類に適した用紙情報）を、表面効果選択テーブル記憶部５６１から読み取り、該用紙表示条件に示される表示順で表示部５９に表示する制御を行う。なお、入力された用紙表示条件に、「所有の用紙に限定する」ことを指示する情報が含まれる場合には、入出力制御部５６７は、入力された用紙表示条件に含まれる、表面効果の種類に対応する用紙情報を、表面効果選択テーブル記憶部５６１から読み取り、読み取った用紙情報の内、入力部５８を介して入力されたユーザの識別情報に対応づけて表面効果選択テーブル記憶部５６１に記憶されている用紙情報を、該用紙表示条件に示される表示順で表示部５９に表示する制御を行う。
【０１５２】
なお、図２８に示す例は、「表面効果」は鏡面光沢、「表示順」はコストの低い順、であり、所有の用紙に限定しない、といった表示条件に合致する用紙表示条件の表示が、ユーザによる入力部５８の操作指示によって指示された場合の、用紙表示画面の一例を示す模式図である。
【０１５３】
なお、図２９に示す例は、「表面効果」は鏡面光沢、「表示順」は表面効果の高い順、であり、所有の用紙に限定しない、といった表示条件に合致する用紙表示条件の表示が、ユーザによる入力部５８の操作指示によって指示された場合の、用紙表示画面の一例を示す模式図である。
【０１５４】
図３０は、「表面効果」は鏡面光沢、「表示順」は表面効果の高い順、であり、所有の用紙に限定する、といった表示条件に合致する用紙表示条件の表示が、ユーザによる入力部５８の操作指示によって指示された場合の用紙表示画面の一例を示す模式図である。
【０１５５】
また、入出力制御部５６７は、評価情報入力画面を表示部５９に表示させる制御を行う。
【０１５６】
図３１は、評価情報入力画面の一例を示す図である。評価情報入力画面は、記録媒体に形成されたテストチャートに基づいて、ユーザが、形成対象の用紙ごとに、各表面効果の種類毎の評価結果を入力するときに表示部５９に表示される入力画面である。
【０１５７】
なお、テストチャートは、テスト用光沢制御版データによって特定される表面効果の種類毎のパッチ画像を記録媒体に形成するためのテスト用クリアトナー版データと、テスト用有色版データと、を含む画像データを、ＤＦＥ５０からＭＩＣ６０を介して印刷装置３０へ送信することによって、印刷装置３０で形成される。
【０１５８】
図３２は、記録媒体に形成されたテストチャートの一例を示す模式図である。図３２に示すように、例えば、テストチャートは、表面効果の種類（すなわち、濃度率（濃度値））の異なる複数種類のパッチ画像の群からなる。
【０１５９】
図３２に示す例では、鏡面光沢（ＰＧ）に対応するパッチ画像として、異なるガンマ補正（γ１〜γ５）の施されたパッチ画像を、同じ大分類の表面効果に対応する濃度値内で２％毎に示したものである。大分類の表面効果とは、表面効果の種類を、表面効果の内容に応じて大きく分類したものであり、例えば、「鏡面光沢」、「ベタ光沢」、「網点マット」、「つや消し」を示す。各大分類の表面効果の種類は、上述した図１１に示すように、「鏡面光沢  タイプＡ」〜「鏡面光沢  タイプＣ」、「ベタ光沢  タイプ１」〜「ベタ光沢  タイプ４」、「網点マット  タイプ１」〜「網点マット  タイプ４」、「つや消し  タイプＡ」〜「つや消し  タイプＣ」等の更に細かく表面効果の種類に分類される。
【０１６０】
なお、図３２では、表面効果の種類を、鏡面光沢、ベタ光沢、網点マット、及びつや消しの４種類の大分類に分類し、各分類ごとに、異なる記録媒体に、更に詳細な表面効果の種類毎のパッチ画像をテストチャートとして形成する場合を示した。しかし、１枚の記録媒体に、全ての種類の表面効果に対応するパッチ画像を含むテストチャートを形成してもよい。
【０１６１】
なお、図３２中、パッチ画像は、テスト用クリアトナー版データに基づいて、クリアトナーを記録媒体に付与することによって形成された画像である。また、各パッチ画像の説明画像（図３２中、「表面効果：ＰＧ」や、「光沢制御版の濃度率（％）」「９４」「９６」「９８」及びガンマ補正の値を示す画像（γ１〜γ５）は、テスト用有色版データに基づいて、有色トナーを記録媒体に付与することによって形成された画像である。
【０１６２】
図３１に戻り、評価情報入力画面には、テストチャートの形成された用紙を特定する情報（図３１では用紙名）の表示欄、ユーザ名の表示欄、及び各表面効果の種類毎に評価情報を設定するための選択ボタン（画面矢印）が表示される。
【０１６３】
なお、評価情報入力画面に表示する用紙を特定する情報（ここでは用紙名）は、用紙情報取得部５６５で直前に取得された用紙情報であって、且つ判別部５６６で表面効果選択テーブル記憶部５６１に登録されていないと判別された用紙情報に対応する用紙名を用いればよい。また、ユーザ名の表示欄には、例えば、評価情報の入力時に入力部５８を介して入力されたユーザの識別情報（アカウント等）を表示すればよい。
【０１６４】
評価情報は、各表面効果の種類に対応して表示されている選択ボタン（画面矢印）の表示位置が、入力部５８の操作指示によって選択されることで、評価「高」「中」「低」といった評価情報が入力される。
【０１６５】
そして、該評価情報入力画面の「ＯＫ」ボタンが操作されることで、評価情報入力画面に表示されたユーザ名（ユーザの識別情報）、用紙名（用紙情報）、各表面効果の種類に対応する評価情報を示す情報が、入出力制御部５６７に入力される。
【０１６６】
クリアプロセッシング２４５６のクリアトナー版生成部５６３は、上述のように、クリアトナー版データ、またはテスト用クリアトナー版データを生成する。そして、生成したクリアトナー版データ（またはテスト用クリアトナー版データ及びテスト用有色版データ）を、ｓｉ３部５７へ出力する。
【０１６７】
ｓｉ３部５７は、実施の形態１と同様に、ハーフトーン処理後のＣＭＹＫの各２ビットの有色版データと、クリアプロセッシング２４５６が生成した２ビットのクリアトナー版データとを統合し、統合した画像データをＭＩＣ６０に出力する。なお、ｓｉ３部５７は、クリアプロセッシング２４５６からテスト用クリアトナー版データ及びテスト用有色版データを受け付けた場合には、ハーフトーン処理した該テスト用有色版データと、２ビットの該テスト用クリアトナー版データと、を統合したテストチャートデータを画像データとして、該画像データをＭＩＣ６０に出力する。
【０１６８】
ＭＩＣ６０は、実施の形態１と同様に、後処理機として搭載されている装置構成を示す装置構成情報をＤＦＥ５０に出力する。また、ＭＩＣ６０は、有色版データ（または、テスト用有色版データ）、クリアトナー版データ（またはテスト用クリアトナー版データ）をＤＦＥ５０から受信して各画像データを対応する装置に振り分けるとともに、後処理機の制御を行う。
【０１６９】
より具体的には、ＭＩＣ６０は、上述の図１９に例示されるように、ＤＦＥ５０から出力された画像データのうちＣＭＹＫの有色版データ（またはテスト用有色版データ）をプリンタ機７０に出力し、プリンタ機７０で用いるクリアトナー版データ（またはテスト用クリアトナー版データ）がある場合にはこれもプリンタ機７０に出力し、ＤＦＥ５０から出力されたオンオフ情報を用いて、グロッサ８０をオン又はオフにして、低温定着機９０で用いるクリアトナー版データ（またはテスト用クリアトナー版データ）がある場合にはこれを低温定着機９０に出力する。
【０１７０】
ＤＦＥ５０から出力された画像データが、テスト用有色版データ及びテスト用クリアトナー版データを含むテストチャートデータである場合には、該テスト用有色版データによって特定される有色画像（各パッチ画像の説明画像）が記録媒体に有色トナーで形成されると共に、テスト用クリアトナー版データによって特定される、表面効果の種類の異なる複数のパッチ画像の群であるテストチャートが、クリアトナーによって該記録媒体に形成される。
【０１７１】
図２４に戻り、判別部５６６は、用紙情報取得部５６５で受け付けた用紙情報が、表面効果選択テーブル記憶部５６１に記憶されている場合には、用紙情報取得部５６５を介して表面効果選択テーブル決定部５６４に、該用紙情報に対応する表面効果選択テーブルの決定要求を表面効果選択テーブル決定部５６４へ出力する。一方、判別部５６６は、用紙情報取得部５６５で受け付けた用紙情報が、表面効果選択テーブル記憶部５６１に登録されていない場合（すなわち、該用紙情報及び該用紙情報に対応する表面効果選択テーブルが表面効果選択テーブル記憶部５６１に登録されていない場合）には、該用紙情報が未登録であることを示す情報を、用紙情報取得部５６５及び表面効果選択テーブル決定部５６４を介して、クリアトナー版生成部５６３へ出力する。
【０１７２】
表面効果選択テーブル決定部５６４は、判別部５６６から用紙情報取得部５６５を介して、用紙情報取得部５６５で取得した用紙情報に対応する表面効果選択テーブルの決定要求を受け付ける。この場合、表面効果選択テーブル決定部５６４は、用紙情報取得部５６５で取得した用紙情報に対応する表面効果選択テーブルを表面効果選択テーブル記憶部５６１から決定する。
【０１７３】
クリアトナー版生成部５６３は、表面効果選択テーブル決定部５６４で決定された表面効果選択テーブル、及び該表面効果選択テーブルに評価情報が対応づけて記憶されている場合には該評価情報を参照し、光沢制御版記憶部５６２に記憶された光沢制御版データを用いて、上述したように、該光沢制御版データを構成する各画素の表す濃度値（画素値）に対する表面効果を判断する。そして、クリアトナー版生成部５６３は、当該判断に応じて、グロッサ８０のオン又はオフの決定や、２ビットのクリアトナー版データを適宜生成する。
【０１７４】
一方、用紙情報取得部５６５で取得した用紙情報が未登録であることを示す情報を判別部５６６から受け付けた場合、クリアトナー版生成部５６３は、該用紙情報に対応する表面効果選択テーブルの生成指示を表面効果選択テーブル生成部５６８へ出力する。なお、この生成指示は、用紙情報取得部５６５で取得した該用紙情報を含む。
【０１７５】
表面効果選択テーブル生成部５６８は、クリアトナー版生成部５６３から受け付けた用紙情報に対応する表面効果選択テーブル、すなわち、表面効果選択テーブル記憶部５６１に未登録の該用紙情報に対応する表面効果選択テーブルを生成する。
【０１７６】
詳細には、表面効果選択テーブル生成部５６８は、表面効果選択テーブルの生成指示を受け付けると、テストチャート印刷制御部５６９へテストチャート印刷要求を出力する。
【０１７７】
テスト用光沢制御版記憶部５６９Ａは、テスト用光沢制御版データを予め記憶する。テスト用光沢制御版データとは、互いに異なる表面効果の種類の各々に対応するパッチ画像の位置及び各パッチ画像の表面効果の種類を特定したデータである。具体的には、図３２で説明したパッチ画像の各々の表面効果の種類及び各パッチ画像の記録媒体上での形成位置や形成範囲を特定したデータである。テスト用光沢制御版データは、予めテスト用光沢制御版記憶部５６９Ａに記憶されている。
【０１７８】
テストチャート印刷制御部５６９は、表面効果選択テーブル生成部５６８からテストチャート印刷要求を受け付けたときに、テスト用光沢制御版記憶部５６９Ａに格納されているテスト用光沢制御版データを読取り、表面効果選択テーブル生成部５６８を介してクリアトナー版生成部５６３へ出力する。
【０１７９】
クリアトナー版生成部５６３は、テスト用光沢制御版データを受け付けた場合には、表面効果選択テーブル決定部５６４を介して、表面効果選択テーブル記憶部５６１から、予め定めた用紙情報（例えば、普通紙）に対応する表面効果選択テーブルを読み取る。そして、該テスト用光沢制御版データによって特定される各パッチ画像の表面効果の種類を、読み取った表面効果選択テーブルに示される濃度値に基づいて判断する。
【０１８０】
そして、クリアトナー版生成部５６３は、当該判断に応じて、グロッサ８０のオン又はオフを決定すると共に、該判断結果と、予め記憶した、例えばＫ色の８ビットのテスト用有色版データと、を用いて、インバースマスクやベタマスクを適宜生成することにより、該パッチ画像に応じてクリアトナーを付着させるための２ビットのテスト用クリアトナー版データを適宜生成する。そして、クリアトナー版生成部５６３は、該８ビットのテスト用有色版データを例えば２ビットに変換し、２ビットのテスト用有色版データと、２ビットのテスト用クリアトナー版データと、をｓｉ３部５７へ出力する。
【０１８１】
ｓｉ３部５７は、クリアプロセッシング２４５６からテスト用クリアトナー版データと、テスト用有色版データと、を受け付けた場合には、これらを含むテストチャートデータを画像データとして生成し、印刷装置７０へ出力する。
【０１８２】
これによって、プリンタ機７０では、記録媒体に、テスト用クリアトナー版データによって特定される各パッチ画像の群からなるテストチャートをクリアトナーで記録媒体に形成すると共に、テスト用有色版データによって特定される各パッチ画像の説明画像を有色トナーで該記録媒体に形成する。これによって、例えば、上述した図３２に示すパッチ画像の群からなるテストチャートと説明画像（テキスト）の形成された記録媒体が得られる。
【０１８３】
そして、ユーザは、このテストチャートの形成された記録媒体を用いて、該記録媒体に形成されたテストチャートによって示される各パッチ画像の表面効果の種類の各々に対応する評価情報を、表示部５９に表示された評価情報入力画面を参照しながら、入力部５８によって入力する。これによって、入出力制御部５６７には、該評価情報入力画面に表示されたユーザ名（ユーザの識別情報）、用紙名（用紙情報）、各表面効果の種類に対応する評価情報を示す情報が入力される。
【０１８４】
表面効果選択テーブル生成部５６８では、入出力制御部５６７から受け付けた、各表面効果の種類毎の評価情報を、テスト用クリアトナー版生成時にクリアトナー版生成部５６３が用いた表面効果選択テーブル（本実施の形態では、「普通紙」を含む用紙情報に対応する１の表面効果選択テーブル）、及び用紙情報取得部５６５で直前に取得した表面効果選択テーブル記憶部５６１に未登録の用紙情報に対応づけて、表面効果選択テーブル記憶部５６１に記憶する。
【０１８５】
このように、表面効果選択テーブル生成部５６８は、用紙情報取得部５６５が取得した、表面効果選択テーブル記憶部５６１に未登録の用紙情報、及び該用紙情報に対応する表面効果選択テーブルを対応づけて表面効果選択テーブル記憶部５６１に記憶することで、用紙情報取得部５６５で取得した未登録の用紙情報に対応する表面効果選択テーブルを生成する。
【０１８６】
上述したように、クリアトナー版生成部５６３は、表面効果選択テーブル記憶部５６１に、表面効果選択テーブル決定部５６４で決定された表面効果選択テーブルに対応づけて、評価情報が記憶されている場合には、表面効果選択テーブル決定部５６４で決定された表面効果選択テーブルによって示される濃度値に対応する表面効果を、対応する評価情報に基づいて置換える。そして、置換後の表面効果の種類に対応する濃度値と、光沢制御版記憶部５６２に記憶された光沢制御版データと、から、クリアトナー版生成部５６３は、該光沢制御版データを構成する各画素の表す濃度値（画素値）に対する表面効果を判断する。
【０１８７】
そして、クリアトナー版生成部５６３は、当該判断に応じて、グロッサ８０のオン又はオフを決定すると共に、入力されたＣＭＹＫの各８ビットの有色版データを用いてインバースマスクやベタマスクを適宜生成することにより、クリアトナーを付着させるための２ビットのクリアトナー版データを適宜生成する。
【０１８８】
なお、プリンタ機７０の機能的構成については、図２０を用いて説明した実施の形態１と同様である。
【０１８９】
次に、本実施の形態に係る画像形成システムのＤＦＥ５０が行う光沢制御処理の手順について図３３を用いて説明する。図３３において、ホスト装置１０からの印刷データを受信から表面効果選択テーブルの決定処理までの処理（ステップＳ３３１１〜Ｓ３３１４）については実施の形態１の処理（ステップＳ１１〜Ｓ１４）と同様に行われる。ただし、表面効果選択テーブルの決定処理の詳細は実施の形態１と異なるが、これについては後述する。
【０１９０】
次に、クリアプロセッシング２４５６のクリアトナー版生成部５６３は、実施の形態１と同様に、グロッサ８０のオン又はオフを決定する（ステップＳ３３１５）。
【０１９１】
ここで、ステップＳ３３１５において、ステップＳ３３１４で決定された表面効果選択テーブルに、評価情報が対応づけられて、表面効果選択テーブル記憶部５６１に格納されている場合には、以下の処理を行う。
【０１９２】
詳細には、この場合、クリアトナー版生成部５６３は、８ビットの光沢制御版データを用いて、ステップＳ３３１４で決定された、用紙種類に対応する表面効果選択テーブルによって示される濃度値に対応する表面効果の種類を、対応する該評価情報に基づいて、濃度値が近く且つより高い評価情報に対応する表面効果の種類に置換えて判断する。
【０１９３】
例えば、図３１を例に挙げて説明する。例えば、表面効果「鏡面光沢  タイプＣ」の評価情報が「中」である場合には、該表面効果「鏡面光沢  タイプＣ」の濃度値に対応する表面効果の種類を、同じ大分類の表面効果である「鏡面光沢」であり、最も濃度値が近く、且つ評価情報のより高い種類の表面効果「鏡面光沢  タイプＢ」に置換えて判断する。
【０１９４】
また、クリアトナー版生成部５６３は、例えば、表面効果「ベタ光沢  タイプ４」及び表面効果「ベタ光沢  タイプ３」の評価情報が「低」である場合には、該表面効果「ベタ光沢  タイプ３」及び「ベタ光沢  タイプ４」の濃度値に対応する表面効果の種類を、同じ大分類の表面効果である「ベタ光沢」であり、最も濃度値が近く、且つ評価情報のより高い種類の表面効果「ベタ光沢  タイプ２」に置換えて判断する。
【０１９５】
そして、そして、クリアトナー版生成部５６３は、光沢制御版データを構成する全ての画素について、このような判断を行う。このようにして、クリアトナー版生成部５６３は、ステップＳ３３１４で決定された表面効果選択テーブルに、評価情報が対応づけられて、表面効果選択テーブル記憶部５６１に格納されている場合には、光沢制御版データを構成する全ての画素の表面効果を、該表面効果選択テーブルを評価情報に応じて置換えた表面効果の種類として判断する。そして、クリアトナー版生成部５６３は、当該判断に応じて、グロッサ８０のオン又はオフを決定する（ステップＳ３３１５）。
【０１９６】
次に、クリアトナー版生成部５６３は、実施の形態１と同様に、８ビットのクリアトナー版データを適宜生成する（ステップＳ３３１６）。ここで、ステップＳ３３１６において、ステップＳ３３１４で決定された表面効果選択テーブルに、評価情報が対応づけられて、表面効果選択テーブル記憶部５６１に格納されている場合には、以下の処理を行う。
【０１９７】
詳細には、この場合、クリアトナー版生成部５６３は、８ビットの光沢制御版データを用いて、ステップＳ３３１４で決定された、用紙種類に対応する表面効果選択テーブルによって示される濃度値に対応する表面効果の種類を、対応する該評価情報に基づいて、上記ステップＳ３３１５と同様にして、濃度値が近く且つより高い評価情報に対応する表面効果の種類に置換えて判断する。
【０１９８】
そして、クリアトナー版生成部５６３は、当該判断に応じて、該光沢制御版データと、ガンマ補正後の有色版データとを用いて、インバースマスクやベタマスクを適宜生成することにより、クリアトナーを付着させるための２ビットのクリアトナー版データを適宜生成する（ステップＳ３３１６）。
【０１９９】
そして、ハーフトーンエンジン５５は、ハーフトーン処理により、上記ステップＳ３３１６で生成した８ビットのクリアトナー版データを、２ビットのクリアトナー版データに変換する（ステップＳ３３１７）。
【０２００】
次に、ＤＦＥ５０のＳｉ３部５７は、ステップＳ３３１３で得たハーフトーン処理後のＣＭＹＫの各２ビットの有色版データと、ステップＳ３３１７で生成した２ビットのクリアトナー版データとを統合し、統合した画像データと、ステップＳ３３１５で決定したグロッサ８０のオン又はオフを示すオンオフ情報と、を、画像データとしてＭＩＣ６０に対して出力する（ステップＳ３３１８）。
【０２０１】
なお、ステップＳ３３１６で、クリアトナー版生成部５６３が、クリアトナー版データを生成していない場合には、ステップＳ３３１８では、ステップＳ３３１３で得たハーフトーン処理後のＣＭＹＫの各２ビットの有色版データのみが統合されてＭＩＣ６０に出力される。
【０２０２】
次に、ステップＳ３３１４における表面効果選択テーブルの決定処理の詳細について説明する。図３４は、実施の形態２の表面効果選択テーブルの決定処理の手順を示すフローチャートである。
【０２０３】
まず、表面効果選択テーブル決定部５６４は、実施の形態１と同様に、用紙情報がユーザにより設定されているか否かを判断する（ステップＳ３４２０）。
【０２０４】
そして、用紙情報がユーザにより設定されている場合には（ステップＳ３４２０：Ｙｅｓ）、表面効果選択テーブル決定部５６４は、ユーザ設定の用紙情報を入出力制御部５６７あるいはＲＡＭ等から取得する（ステップＳ３４２１）。
【０２０５】
一方、ステップＳ３４２０で用紙情報がユーザにより設定されていない場合には（ステップＳ３４２０：Ｎｏ）、用紙情報取得部５６５が、ＭＩＣ６０を介してプリンタ機７０に用紙情報の取得要求を送信し、用紙情報を取得する（ステップＳ３４２２）。ここで、用紙情報取得部５６５は、用紙種類、用紙の光沢度、用紙の凹凸情報の要素のうち、ユーザにより設定された優先順位が一番高い要素の取得要求を行う。
【０２０６】
次に、用紙情報取得部５６５が、用紙情報をプリンタ機７０から受信する（ステップＳ３４２３）。
【０２０７】
次に、判別部５６６が、ステップＳ３４２１で取得またはステップＳ３４２３で受信した用紙情報と、表面効果選択テーブル記憶部５６１に記憶されている用紙情報と、を比較する（ステップＳ３４２４）。
【０２０８】
次に、判別部５６６は、ステップＳ３４２１で取得またはステップＳ３４２３で受信した用紙情報が、表面効果選択テーブル記憶部５６１に記憶されている用紙情報の何れかに一致するか否かを判断する（ステップＳ３４２５）。
【０２０９】
ステップＳ３４２５で、受信した用紙情報が表面効果選択テーブル記憶部５６１に記憶されている用紙情報の何れかに一致すると判断されると（ステップＳ３４２５：Ｙｅｓ）、後述するステップＳ３４２７へ進む。一方、ステップＳ３４２５で、受信した用紙情報が表面効果選択テーブル記憶部５６１に記憶されている用紙情報の何れかにも一致しないと判断されると（ステップＳ３４２５：Ｎｏ）、ステップＳ３４２６へ進む、詳細を後述する表面効果選択テーブル生成処理（ステップＳ３４２６）を実行した後に、ステップＳ３４２７へ進む。
【０２１０】
ステップＳ３４２７では、表面効果選択テーブル決定部５６４が、ステップＳ３４２１またはステップＳ３４２３で取得した用紙情報に基づいて、表面効果選択テーブル記憶部５６１の中から表面効果選択テーブルを選択する（ステップＳ３４２７）。具体的には、表面効果選択テーブル決定部５６４は、上述したとおり、取得した用紙情報に含まれる用紙種類、あるいは取得した用紙情報の光沢度や凹凸情報に関連した用紙種類を特定し、特定された用紙種類に対応する表面効果選択テーブルを選択する。
【０２１１】
ここで、ステップＳ３４２２で用紙情報の取得要求を受信したプリンタ機７０における用紙情報取得処理については、図２３を用いて説明した実施の形態１と同様に行われる。
【０２１２】
次に、図３４のステップＳ３４２６の表面効果選択テーブル生成処理を説明する。図３５は、実施の形態２の表面効果選択テーブル生成処理の手順を示すフローチャートである。図３４のステップＳ３４２５において、判別部５６６が、受信した用紙情報が表面効果選択テーブル記憶部５６１に記憶されている用紙情報の何れかにも一致しないと判断されると（ステップＳ３４２５：Ｎｏ）、クリアトナー版生成部５６３が、該用紙情報に対応する表面効果選択テーブルの生成指示を表面効果選択テーブル生成部５６８へ出力し、図３５の表面効果選択テーブル生成処理を実行する。
【０２１３】
表面効果選択テーブルの生成指示を受け付けた表面効果選択テーブル生成部５６８は、テストチャート印刷制御部５６９へテストチャート印刷要求を出力する（ステップＳ３５４１）。テストチャート印刷要求を受け付けたテストチャート印刷制御部５６９は、テスト用光沢制御版記憶部５６９Ａから、テスト用光沢制御版データを取得する（ステップＳ３５４２）。そして、表面効果選択テーブル生成部５６８は、取得したテスト用光沢制御版データをクリアトナー版生成部５６３へ出力する。
【０２１４】
次に、クリアトナー版生成部５６３が、表面効果選択テーブル決定部５６４を介して表面効果選択テーブル記憶部５６１から、予め定めた１の表面効果選択テーブルとして、本実施の形態では、用紙種が普通紙である用紙情報に対応する１の表面効果選択テーブルを表面効果選択テーブル記憶部５６１から読み取る（ステップＳ３５４３）。
【０２１５】
次に、クリアトナー版生成部５６３が、表面効果選択テーブル生成部５６８から受け付けたテスト用光沢制御版データと、予め記憶したテスト用有色版データと、ステップＳ３５４３で読み取った表面効果選択テーブルと、に基づいて、テスト用クリアトナー版データを生成する（ステップＳ３５４４）。
【０２１６】
次に、印刷装置３０が、テストチャートを記録媒体に印刷する（ステップＳ３５４５）。詳細には、ｓｉ３部５７が、上記ステップＳ３５４４の処理によって生成されたテスト用クリアトナー版データと、該テスト用クリアトナー版の生成時に用いたテスト用有色版データと、を含むテストチャートデータを画像データとして生成し、ＭＩＣ６０へ出力する。これによって、プリンタ機７０では、記録媒体に、テスト用クリアトナー版データによって特定される各パッチ画像の群からなるテストチャートをクリアトナーで記録媒体に形成すると共に、テスト用有色版データによって特定される各パッチ画像の説明画像を有色トナーで該記録媒体に形成する。これによって、例えば、上述した図３２に示すパッチ画像の群からなるテストチャートと説明画像（テキスト）の形成された記録媒体が得られる。
【０２１７】
次に、入出力制御部５６７が、評価情報入力画面を表示部５９に表示する制御を行う（ステップＳ３５４６）。そして、入出力制御部５６７は、評価情報の受け付け待ち状態となる（ステップＳ３５４７，Ｓ３５４７：Ｎｏ）。すなわち、入出力制御部５６７は、該評価情報入力画面に表示されたユーザ名（ユーザの識別情報）、用紙名（用紙情報）、各表面効果の種類に対応する評価情報を示す情報が、ユーザによる入力部５８の操作指示によって入出力制御部５６７に入力されるまで、待ち状態となる。
【０２１８】
ステップＳ３５４７で、ユーザから評価情報を受け付けると（ステップＳ３５４７：Ｙｅｓ）、ステップＳ３５４８へ進む。
【０２１９】
ステップＳ３５４８では、表面効果選択テーブル生成部５６８が、上記ステップＳ３５４３の処理時にクリアトナー版生成部５６３が読み取った表面効果選択テーブルを、上記ステップＳ３４２１またはステップＳ３４２３（図３４参照）の処理によって、用紙情報取得部５６５で取得した用紙情報と、ステップＳ３５４７で受け付けた各表面効果の種類毎の評価情報と、に対応づけて、表面効果選択テーブル記憶部５６１に記憶する（ステップＳ３５４８）。このときに、ステップＳ３５４７で受け付けたユーザ名（ユーザの識別情報）や用紙名も対応づけて記憶してもよい。そして、本ルーチンを終了する。
【０２２０】
以上説明したように、本実施の形態では、取得した用紙情報が表面効果選択テーブル記憶部５６１に格納されていない場合には、用紙情報に応じた表面効果選択テーブルを作成し、表面効果選択テーブル記憶部５６１に格納する。このため、用紙情報及び用紙情報に対応する表面効果選択テーブルが表面効果選択テーブル記憶部５６１に格納されていない場合についても、適宜、表面効果選択テーブルを生成し、用紙情報に応じたクリアトナー版データを生成することができる。
【０２２１】
このため、本実施の形態では、用紙の種類や用紙情報の登録の有無にかかわらず、ユーザが意図する表面効果を得ることができる。
【０２２２】
また、本実施の形態では、実施の形態１と同様に、用紙の種類にかかわらず、ユーザが意図する表面効果を得ることができる。
【０２２３】
（実施の形態３）
実施の形態１、２では、ＤＦＥ５０にクリアプロセッシング５６を設け、ＤＦＥ５０で、表面効果選択テーブルの決定処理、クリアトナー版データの生成処理を行うように構成したが、これに限定されるものではない。
【０２２４】
すなわち、一の装置で行っていた複数の処理のいずれかを、一の装置とネットワークを介して接続する１以上の他の装置で行う構成にしてもよい。
【０２２５】
その一例として、実施の形態３の画像形成システムでは、ＤＦＥの機能の一部を、ネットワーク上のサーバ装置上に実装している。
【０２２６】
図３６は、実施の形態３に係る画像形成システムの構成を例示する図である。図３６に示すように、本実施の形態の画像形成システムは、ホスト装置３０１０と、ＤＦＥ３０５０と、ＭＩＣ６０と、プリンタ機７０と、グロッサ８０と、低温定着機９０と、クラウド上のサーバ装置３０６０とを備えている。グロッサ８０や低温定着機９０等の後処理装置は、これらに限定されるものではない。
【０２２７】
本実施の形態では、ホスト装置３０１０とＤＦＥ３０５０とがインターネット等のネットワークを介して、サーバ装置３０６０と接続された構成となっている。また、本実施の形態では、実施の形態１、２のホスト装置１０の各版データの生成処理を行うモジュールと、実施の形態１、２のＤＦＥ５０のクリアプロセッシング５６，２４５６を、サーバ装置３０６０に設けた構成となっている。
【０２２８】
ここで、ホスト装置３０１０、ＤＦＥ３０５０、ＭＩＣ６０、プリンタ機７０、グロッサ８０、低温定着機９０の接続構成は、実施の形態１、２と同様である。
【０２２９】
すなわち、具体的には、実施の形態３では、ホスト装置３０１０とＤＦＥ３０５０とがインターネット等のネットワーク（クラウド）を介して、単一のサーバ装置３０６０に接続し、サーバ装置３０６０は版データ生成部３０６２、印刷データ生成部３０６３、クリアプロセッシング３０６６を設け、サーバ装置３０６０で、有色版データ、クリア版データおよび光沢制御版データの生成を行う版データ生成処理、印刷データの生成処理、表面効果選択テーブルの決定処理、クリアトナー版データの生成処理を行うように構成している。
【０２３０】
まず、サーバ装置３０６０について説明する。図３７は、実施の形態３にかかるサーバ装置３０６０の機能的構成を示すブロック図である。サーバ装置３０６０は、図３７に示すように、記憶部３０７０と、版データ生成部３０６２と、印刷データ生成部３０６３と、クリアプロセッシング３０６６と、通信部３０６５とを主に備えている。
【０２３１】
記憶部３０７０は、ＨＤＤやメモリ等の記憶媒体であり、濃度値選択テーブル３０６９とを記憶している。濃度値選択テーブル３０６９は、図６を用いて説明した実施の形態１の濃度値選択テーブル３０６９と同様である。
【０２３２】
通信部３０６５は、ホスト装置３０１０、ＤＦＥ３０５０との間で各種データや要求の送受信を行う。より具体的には、通信部３０６５は、ホスト装置３０１０から、画像指定情報および指定情報と、印刷データの生成要求とを受信し、生成された印刷データをホスト装置３０１０に送信する。また、通信部３０６５は、ＤＦＥ３０５０から、８ビットの光沢制御版の画像データと、８ビットの有色版の画像データと、クリアトナー版の生成要求とを受信し、生成されたクリアトナー版の画像データとオンオフ情報とをＤＦＥ３０５０に送信する。
【０２３３】
版データ生成部３０６２は、実施の形態１、２のホスト装置１０と同様に、有色版データ、光沢制御版データ、クリア版データを生成する。
【０２３４】
本実施の形態の印刷データ生成部３０６３は、実施の形態１、２のホスト装置１０と同様に、図８に示す印刷データを生成する。
【０２３５】
クリアプロセッシング３０６６は、実施の形態１のＤＦＥ５０におけるクリアプロセッシング５６と同様の機能を有しており、その機能的構成は、図１０に示した機能的構成と同一である。あるいは、クリアプロセッシング３０６６は、実施の形態２のＤＦＥ５０におけるクリアプロセッシング２４５６と同様の機能を有しており、その機能的構成は、図２４に示した機能的構成と同一構成としてもよい。
【０２３６】
次に、ＤＦＥ３０５０について説明する。図３８は、実施の形態３のＤＦＥ３０５０の機能的構成を示すブロック図である。本実施の形態のＤＦＥ３０５０は、レンダリングエンジン５１と、ｓｉ１部５２と、ＴＲＣ５３と、ｓｉ２部３０５４と、ハーフトーンエンジン５５と、ｓｉ３部５７とを主に備えている。ここで、レンダリングエンジン５１、ｓｉ１部５２、ＴＲＣ５３、ハーフトーンエンジン５５、ｓｉ３部５７の機能および構成については実施の形態１、２のＤＦＥ５０と同様である。
【０２３７】
本実施の形態のｓｉ２部３０５４は、ＴＲＣ５３によるガンマ補正後の８ビットの光沢制御版データと、ＣＭＹＫの８ビットの有色版データと、クリアトナー版の生成要求とを、サーバ装置３０６０に送信し、サーバ装置３０６０から、クリアトナー版データとオンオフ情報とを受信する。
【０２３８】
次に、以上のように構成された本実施の形態に係る画像形成システムによる印刷処理に必要なクリアトナー版の生成処理ついて説明する。図３９は、実施の形態３にかかるクリアトナー版の生成処理の全体の流れを示すシーケンス図である。
【０２３９】
まず、ホスト装置３０１０がユーザから画像指定情報および指定情報を入力し（ステップＳ３９０１）、画像指定情報および指定情報とともに印刷データ生成要求をサーバ装置３０６０に送信する（ステップＳ３９０２）。
【０２４０】
サーバ装置３０６０では、画像指定情報および指定情報とともに印刷データ生成要求を受信し、有色版の画像データ、光沢制御版の画像データ、クリア版の画像データをそれぞれ生成する（ステップＳ３９０３）。そして、サーバ装置３０６０は、これらの画像データから印刷データを生成し（ステップＳ３９０４）、生成した印刷データをホスト装置３０１０に送信する（ステップＳ３９０５）。
【０２４１】
ホスト装置３０１０では、印刷データを受信すると、この印刷データをＤＦＥ３０５０に送信する（ステップＳ３９０６）。
【０２４２】
ＤＦＥ３０５０では、印刷データをホスト装置３０１０から受信すると、印刷データを解析して、有色版の画像データ、光沢制御版の画像データ、クリア版の画像データを得て、これらの画像データに変換や補正等を行う（ステップＳ３９０７）。そして、ＤＦＥ３０５０は、有色版の画像データ、光沢制御版の画像データ、クリア版の画像データと、クリアトナー版生成要求とを、サーバ装置３０６０に送信する（ステップＳ３９０８）。
【０２４３】
次に、サーバ装置３０６０は、有色版データ、光沢制御版データ、クリア版データと、クリアトナー版生成要求とを受信すると、クリアプロセッシング３０６６が、印刷対象の用紙情報を取得して、用紙情報に基づいて、表面効果選択テーブルを選択する（ステップＳ３９０９）。この表面効果選択テーブルの決定処理は、図２２を用いて説明した実施の形態１のＤＦＥ５０のクリアプロセッシング５６による処理と同様に行われる。あるいは、表面効果選択テーブルの決定処理を、図３４，３５を用いて説明した実施の形態２のＤＦＥ５０のクリアプロセッシング２４５６による処理と同様に行うように構成してもよい。
【０２４４】
次に、サーバ装置３０６０は、オンオフ情報を決定し（ステップＳ３９１０）、クリアトナー版の画像データを生成する（ステップＳ３９１１）。そして、サーバ装置３０６０は、生成したクリアトナー版の画像データをＤＦＥ３０５０に送信する（ステップＳ３９１２）。
【０２４５】
これ以降のＭＩＣ６０、プリンタ機７０，グロッサ８０、低温定着機９０における処理については、実施の形態１、２と同様に行われる。
【０２４６】
このように本実施の形態では、有色版データ、光沢制御版データ、クリア版データ、印刷データおよびクリアトナー版データの生成、表面効果選択テーブルの決定処理を、クラウド上のサーバ装置３０６０で行っているので、実施の形態１、２と同様の効果を奏する他、複数のホスト装置３０１０やＤＦＥ３０５０が存在する場合でも、濃度値選択テーブルや表面効果選択テーブルの変更等も一括して行うことができ、管理者の便宜となる。
【０２４７】
なお、本実施の形態では、クラウド上の単一のサーバ装置３０６０に、版データ生成部３０６２、印刷データ生成部３０６３、クリアプロセッシング３０６６を設け、サーバ装置３０６０で、有色版データ、クリア版データおよび光沢制御版データの生成を行う版データ生成処理、印刷データの生成処理、表面効果選択テーブルの決定処理、クリアトナー版データの生成処理を行うように構成したが、これに限定されるものではない。
【０２４８】
例えば、クラウド上に２以上のサーバ装置を設け、上記各処理を、２以上のサーバ装置で分散させて実行するように構成してもよい。図４０は、クラウド上に２つのサーバ（第１サーバ装置３８６０と第２サーバ装置３８６１）を設けたネットワーク構成図である。図４０の例では、第１サーバ装置３８６０と第２サーバ装置３８６１とで、有色版データ、クリア版データおよび光沢制御版データの生成を行う版データ生成処理、印刷データの生成処理、表面効果選択テーブルの決定処理、クリアトナー版データの生成処理を分散して行うように構成する。
【０２４９】
例えば、第１サーバ装置３８６０に版データ生成部３０６２、印刷データ生成部３０６３を設け、第１サーバ装置３８６０で版データ生成処理、印刷データ生成処理を行うように構成し、第２サーバ装置３８６１にクリアプロセッシング３０６６を設け、第２サーバ装置３８６１で、表面効果選択テーブルの決定処理およびクリアトナー版データ生成処理を実行するように構成することができる。なお、各処理の各サーバ装置への分散の形態はこれに限定されるものではなく、任意に行うことができる。
【０２５０】
すなわち、ホスト装置３０１０やＤＦＥ３０５０に最低限の構成を設ければ、版データ生成部３０６２、印刷データ生成部３０６３、クリアプロセッシング３０６６の一部または全部をクラウド上の一つのサーバ装置に集中して設けたり、複数のサーバ装置に分散させて設けたりすることは任意に行うことができる。
【０２５１】
言い換えると、上述の例のように、一の装置で行っていた複数の処理のいずれかを、一の装置とネットワークを介して接続する１以上の他の装置で行う構成にすることができる。
【０２５２】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０２５３】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０２５４】
また、実施の形態３では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０２５５】
上述した実施の形態のホスト装置１０、３０１０、ＤＦＥ５０、３０５０、サーバ装置３０６０、第１サーバ装置３８６０、第２サーバ装置３８６１のハードウェア構成について説明する。図４１は、ホスト装置１０、３０１０、ＤＦＥ５０、３０５０、サーバ装置３０６０のハードウェア構成図である。ホスト装置１０、３０１０、ＤＦＥ５０、３０５０、サーバ装置３０６０、第１サーバ装置３８６０、第２サーバ装置３８６１は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０２５６】
上記実施の形態のホスト装置１０、３０１０で実行される画像処理プログラム（画像処理アプリケーションを含む。以下同。）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０２５７】
また、上記実施の形態のホスト装置１０、３０１０で実行される画像処理プログラムを、インターネット等のネットワークに接続されたコンピュータ上に格納し、ネットワーク経由でダウンロードさせることにより提供するように構成しても良い。また、上記実施の形態のホスト装置１０，３０１０で実行される画像処理プログラムをインターネット等のネットワーク経由で提供または配布するように構成しても良い。
【０２５８】
また、上記実施の形態のホスト装置１０、３０１０で実行される画像処理プログラムを、ＲＯＭ等に予め組み込んで提供するように構成してもよい。
【０２５９】
上記実施の形態のホスト装置１０、３０１０で実行される画像処理プログラムは、上述した各部（版データ生成部、印刷データ生成部、入力制御部、表示制御部）を含むモジュール構成となっており、実際のハードウェアとしてはＣＰＵ（プロセッサ）が上記記憶媒体から画像処理プログラムを読み出して実行することにより上記各部が主記憶装置上にロードされ、版データ生成部、印刷データ生成部、入力制御部、表示制御部が主記憶装置上に生成されるようになっている。
【０２６０】
また、上記実施の形態のＤＦＥ５０、３０５０で実行される印刷制御処理は、ハードウェアで実現する他、ソフトウェアとしての印刷制御プログラムで実現してもよい。この場合において、上記実施の形態のＤＦＥ５０、３０５０で実行される印刷制御プログラムは、ＲＯＭ等に予め組み込まれて提供される。
【０２６１】
上記実施の形態のＤＦＥ５０、３０５０で実行される印刷制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供するように構成してもよい。
【０２６２】
さらに、上記実施の形態のＤＦＥ５０、３０５０で実行される印刷制御プログラムを、インターネット等のネットワークに接続されたコンピュータ上に格納し、ネットワーク経由でダウンロードさせることにより提供するように構成しても良い。また、上記実施の形態のＤＦＥ５０で実行される印刷制御プログラムをインターネット等のネットワーク経由で提供または配布するように構成しても良い。
【０２６３】
上記実施の形態のＤＦＥ５０、３０５０で実行される印刷制御プログラムは、上述した各部（レンダリングエンジン、ハーフトーンエンジン、ＴＲＣ、ｓｉ１部、ｓｉ２部、ｓｉ３部、クリアプロセッシング）を含むモジュール構成となっており、実際のハードウェアとしてはＣＰＵ（プロセッサ）が上記ＲＯＭから印刷制御プログラムを読み出して実行することにより上記各部が主記憶装置上にロードされ、レンダリングエンジン、ハーフトーンエンジン、ＴＲＣ、ｓｉ１部、ｓｉ２部、ｓｉ３部、クリアプロセッシングとして主記憶装置上に生成されるようになっている。
【０２６４】
また、上記実施の形態のサーバ装置３０６０で実行される各データの生成処理は、ハードウェアで実現する他、ソフトウェアとしての生成プログラムで実現してもよい。この場合において、上記実施の形態のサーバ装置３０６０で実行される生成プログラムは、ＲＯＭ等に予め組み込まれて提供される。
【０２６５】
上記実施の形態のサーバ装置３０６０で実行される各データの生成処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供するように構成してもよい。
【０２６６】
さらに、上記実施の形態のサーバ装置３０６０で実行される各データの生成処理プログラムを、インターネット等のネットワークに接続されたコンピュータ上に格納し、ネットワーク経由でダウンロードさせることにより提供するように構成しても良い。また、上記実施の形態のサーバ装置３０６０で実行される各データの生成処理プログラムをインターネット等のネットワーク経由で提供または配布するように構成しても良い。
【０２６７】
上記サーバ装置３０６０で実行される各データの生成処理プログラムは、上述した各部（版データ生成部、印刷データ生成部、クリアプロセッシング）を含むモジュール構成となっており、実際のハードウェアとしてはＣＰＵ（プロセッサ）が上記ＲＯＭから生成プログラムを読み出して実行することにより上記各部が主記憶装置上にロードされ、版データ生成部、印刷データ生成部、クリアプロセッシングとして主記憶装置上に生成されるようになっている。
【０２６８】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０２６９】
上述した実施の形態において、画像形成システムは、ホスト装置１０，３０１０、ＤＦＥ５０，３０５０，ＭＩＣ６０、プリンタ機７０、グロッサ８０及び低温定着機９０を備えるように構成したが、これに限らない。例えば、ＤＦＥ５０、３０５０、ＭＩＣ６０及びプリンタ機７０を一体的に形成して１つの画像形成装置として構成するようにしても良いし、更に、グロッサ８０及び低温定着機９０を備えた画像形成装置として形成するようにしても良い。
【０２７０】
上述した実施の形態の画像形成システムにおいては、ＣＭＹＫの複数の色のトナーを用いて画像を形成するようにしたが、１色のトナーを用いて画像を形成するようにしても良い。
【０２７１】
なお、上述した実施の形態のプリンタシステムは、ＭＩＣ６０を備えた構成としているが、これに限定されるものではない。上述したＭＩＣ６０が行う処理、機能をＤＦＥ５０等の他の装置にもたせて、ＭＩＣ６０を設けない構成としてもよい。
【符号の説明】
【０２７２】
１０，３０１０  ホスト装置
５０，３０５０  ＤＦＥ
５１  レンダリングエンジン
５２  ｓｉ１部
５３  ＴＲＣ
５４，３０５４  ｓｉ２部
５５  ハーフトーンエンジン
５６，２４５６，３０６６  クリアプロセッシング
５７  ｓｉ３部
６０  ＭＩＣ
７０  プリンタ機
８０  グロッサ
９０  低温定着機
５６１  表面効果選択テーブル記憶部
５６２  光沢制御版記憶部
５６３  クリアトナー版生成部
５６４  表面効果選択テーブル決定部
５６５  用紙情報取得部
５６６  判別部
５６７  入出力制御部
５６８  表面効果選択テーブル生成部
５６９  テストチャート印刷制御部
５６９Ａ  テスト用光沢制御版記憶部
３０６０  サーバ装置
３０６２  版データ生成部
３０６３  印刷データ生成部
３８６０  第１サーバ装置
３８６１  第２サーバ装置
【先行技術文献】
【特許文献】
【０２７３】
【特許文献１】特開２０１１−１５０１５８号公報
【特許文献２】特開２０１１−４３６８３号公報
【図１】
2013239152.tif 000003
【図２】
2013239152.tif 000004
【図３】
2013239152.tif 000005
【図４】
2013239152.tif 000006
【図５】
2013239152.tif 000007
【図６】
2013239152.tif 000008
【図７】
2013239152.tif 000009
【図８】
2013239152.tif 000010
【図９】
2013239152.tif 000011
【図１０】
2013239152.tif 000012
【図１１】
2013239152.tif 000013
【図１２】
2013239152.tif 000014
【図１３】
2013239152.tif 000015
【図１４】
2013239152.tif 000016
【図１５】
2013239152.tif 000017
【図１６】
2013239152.tif 000018
【図１７】
2013239152.tif 000019
【図１８】
2013239152.tif 000020
【図１９】
2013239152.tif 000021
【図２０】
2013239152.tif 000022
【図２１】
2013239152.tif 000023
【図２２】
2013239152.tif 000024
【図２３】
2013239152.tif 000025
【図２４】
2013239152.tif 000026
【図２５】
2013239152.tif 000027
【図２６】
2013239152.tif 000028
【図２７】
2013239152.tif 000029
【図２８】
2013239152.tif 000030
【図２９】
2013239152.tif 000031
【図３０】
2013239152.tif 000032
【図３１】
2013239152.tif 000033
【図３３】
2013239152.tif 000034
【図３４】
2013239152.tif 000035
【図３５】
2013239152.tif 000036
【図３６】
2013239152.tif 000037
【図３７】
2013239152.tif 000038
【図３８】
2013239152.tif 000039
【図３９】
2013239152.tif 000040
【図４０】
2013239152.tif 000041
【図４１】
2013239152.tif 000042
【図３２】
2013239152.tif 000043